(57)【要約】  本開示は、第一層により有益剤を封入され、なおかつ第一層が第二材料により封入された粒子、及びこのような粒子を含む製品、並びにこのような粒子及びこのような粒子を含む製品の製造及び使用方法に関する。このような粒子の製造方法は有益剤を過度に変性させず、かつこのような粒子を製品に採用した場合、粒子は、安定である一方で、製品を目的通りに使用した際に所望される量の有益剤を放出する。【特許請求の範囲】
【請求項１】
シェル及びコアを含む粒子であって、前記シェルが、第一層及び第二層を含み、前記第一層が前記コアを封入し、かつ物質シンクを含み、前記第二層が前記第一層を封入し、かつバリア材料を含み、前記粒子の粒径が１５０マイクロメートル〜３０００マイクロメートルであり、好ましくは５００マイクロメートル〜２０００マイクロメートルであり、より好ましくは７５０マイクロメートル〜１５００マイクロメートルであり、好ましくは前記粒子の放出指数が０．２５〜１であり、より好ましくは０．５０〜１であり、最も好ましくは０．８５〜１であり、好ましくは前記粒子のコア対シェル質量比が５：９５〜８０：２０であり、より好ましくは１５：８５〜６０：４０であり、最も好ましくは２５：７５〜５０：５０であり、好ましくは前記粒子の物質シンク対バリア材料質量比が２０：８０〜３：９７であり、より好ましくは１５：８５〜１０：９０であり、好ましくは前記粒子が第三層を含み、前記第三層が第二バリア材料を含み、より好ましくは前記第三層が前記第二層の外表面を封入する、粒子。
【請求項２】
ａ）前記物質シンクが、水溶性及び／又は水分散性非還元型多糖、水溶性及び／又は水分散性アクリレート誘導体、及びこれらの混合物からなる群から選択される材料を含み、前記物質シンクの遠心時保持容量が、好ましくは２グラム／グラム〜５００グラム／グラム、より好ましくは１０グラム／グラム〜３００グラム／グラム、最も好ましくは５０グラム／グラム〜１５０グラム／グラムであり、
ｂ）前記バリア材料が、ポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、及びこれらの混合物からなる群から選択される材料を含み、
ｃ）前記コア材料が、予形成過酸、金属触媒、漂白活性化剤、漂白増進剤、ジアシルペルオキシド、過酸化水素源、及び酵素からなる群から選択される材料を含み、
好ましくは前記粒子の安定性指数が０．８０〜１、より好ましくは０．９０〜１、最も好ましくは０．９５〜１である、請求項１に記載の粒子。
【請求項３】
ａ）前記金属触媒が、ジクロロ−１，４−ジエチル−１，４，８，１１−テトラアザビシクロ（tetraaazabicyclo）［６．６．２］ヘキサデカンマンガン（ＩＩ）；ジクロロ−１，４−ジメチル−１，４，８，１１−テトラアザビシクロ（tetraaazabicyclo）［６．６．２］ヘキサデカンマンガン（ＩＩ）、及びこれらの混合物からなる群から選択される材料を含み、
ｂ）前記漂白増進剤が、２−［３−［（２−ヘキシルドデシル）オキシ］−２−（スルホオキシ）プロピル］−３，４−ジヒドロイソキノリニウム（分子内塩）、３，４−ジヒドロ−２−［３−［（２−ペンチルウンデシル）オキシ］−２−（スルホオキシ）プロピル］イソキノリニウム（分子内塩）、２−［３−［（２−ブチルデシル）オキシ］−２−（スルホオキシ）プロピル］−３，４−ジヒドロイソキノリニウム（分子内塩）、３，４−ジヒドロ−２−［３−（オクタデシルオキシ）−２−（スルホオキシ）プロピル］イソキノリニウム（分子内塩）、２−［３−（ヘキサデシルオキシ）−２−（スルホオキシ）プロピル］−３，４−ジヒドロイソキノリニウム（分子内塩）、３，４−ジヒドロ−２−［２−（スルホオキシ）−３−（テトラデシルオキシ）プロピル］イソキノリニウム（分子内塩）、２−［３−（ドデシルオキシ）−２−（スルホオキシ）プロピル］−３，４−ジヒドロイソキノリニウム（分子内塩）、２−［３−［（３−ヘキシルデシル）オキシ］−２−（スルホオキシ）プロピル］−３，４−ジヒドロイソキノリニウム（分子内塩）、３，４−ジヒドロ−２−［３−［（２−ペンチルノニル）オキシ］−２−（スルホオキシ）プロピル］イソキノリニウム（分子内塩）、３，４−ジヒドロ−２−［３−［（２−プロピルヘプチル）オキシ］−２−（スルホオキシ）プロピル］イソキノリニウム（分子内塩）、２−［３−［（２−ブチルオクチル）オキシ］−２−（スルホオキシ）プロピル］−３，４−ジヒドロイソキノリニウム（分子内塩）、２−［３−（デシルオキシ）−２−（スルホオキシ）プロピル］−３，４−ジヒドロイソキノリニウム（分子内塩）、３，４−ジヒドロ−２−［３−（オクチルオキシ）−２−（スルホオキシ）プロピル］イソキノリニウム（分子内塩）、２−［３−［（２−エチルヘキシル）オキシ］−２−（スルホオキシ）プロピル］−３，４−ジヒドロイソキノリニウム（分子内塩）、及びこれらの混合物からなる群から選択される材料を含み、
ｂ）前記漂白活性化剤が、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、過加水分解可能なエステル、４−［Ｎ−（ノナオイル）アミノヘキサノイルオキシ］−ベンゼンスルホン酸ナトリウム（ＮＡＣＡ−ＯＢＳ）、ドデカノイルオキシベンゼンスルホネート（ＬＯＢＳ又はＣ１２−ＯＢＳ）、１０−ウンデセノイルオキシベンゼンスルホネート（１０位に不飽和を有するＵＤＯＢＳ又はＣ１１−ＯＢＳ）、デカノイルオキシ安息香酸（ＤＯＢＡ）、（６−オクタンアミドカプロイル）オキシベンゼンスルホネート、（６−ノナンアミドカプロイル）オキシベンゼンスルホネート；（６−デカンアミドカプロイル）オキシベンゼンスルホネート、及びこれらの混合物からなる群から選択される材料を含み、
ｃ）前記予形成過酸が、過硫酸、過ヨウ素酸、過炭酸、過カルボン酸、及び該酸の塩からなる群から選択される材料を含み、好ましくは前記過カルボン酸及びその塩が、フタルイミドペルオキシヘキサン酸、１，１２−ジペルオキシドデカン二酸、又はモノペルオキシフタル酸（マグネシウム塩六水和物）、アミドペルオキシ酸を含み、好ましくは前記アミドペルオキシ酸がＮ，Ｎ’−テレフタロイル−ジ（６−アミノカプロン酸）、ペルオキシこはく酸（ＮＡＰＳＡ）又はペルオキシアジピン酸（ＮＡＰＡＡ）のいずれかのモノノニルアミド、Ｎ−ノナノイルアミノペルオキシカプロン酸（ＮＡＰＣＡ）、及びこれらの混合物を含み、
ｄ）前記ジアシルペルオキシドが、ジノナノイルペルオキシド、ジデカノイルペルオキシド、ジウンデカノイルペルオキシド、ジラウロイルペルオキシド、ジベンゾイルペルオキシド、ジ−（３，５，５−トリメチルヘキサノイル）ペルオキシド、及びこれらの混合物からなる群から選択される材料を含み、
ｅ）前記過酸化水素源が、過ホウ酸塩、過炭酸塩、過酸化水素化物、過硫酸塩、及びこれらの混合物からなる群から選択される材料を含み、並びに
ｆ）前記酵素が、ペルオキシダーゼ、プロテアーゼ、リパーゼ、ホスホリパーゼ、セロビオヒドロラーゼ、セロビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含む、請求項１又は２に記載の粒子。
【請求項４】
ａ）前記ポリビニルアルコールが、加水分解度が８０ｍｏｌ％〜９９ｍｏｌ％、より好ましくは８７ｍｏｌ％〜８９ｍｏｌ％であり、かつ分子量が１０，０００グラム／ｍｏｌ〜７５０，０００グラム／ｍｏｌ、より好ましくは３０，０００グラム／ｍｏｌ〜３００，０００グラム／ｍｏｌであるポリビニルアルコール変異体を含み、
ｂ）前記ポリ酢酸ビニルが、重合度が１５０〜５，０００、好ましくは１５０〜２，０００、又はより好ましくは１９０〜１，０００のポリ酢酸ビニル変異体を含み、並びに
ｃ）前記酢酸セルロースが、分子量が３０，０００グラム／ｍｏｌ〜５０，０００グラム／ｍｏｌの酢酸セルロース変異体を含む、請求項１〜３のいずれか一項に記載の粒子。
【請求項５】
ａ）前記水溶性及び／又は水分散性非還元型多糖が、キサンタンガム、ダイユータンガム、グアーガム、ジェランガム、カラギーナン、相乗的なゴム系、及びこれらの混合物からなる群から選択される材料を含み、
ｂ）前記水溶性及び／又は水分散性アクリレート誘導体のガラス転移温度が５０℃〜１３０℃、より好ましくは９０℃〜１１５℃である、請求項１〜４のいずれか一項に記載の粒子。
【請求項６】
請求項１〜５のいずれか一項に記載の粒子と補助成分とを含む消費者製品であって、好ましくは前記粒子の少なくとも７５％、より好ましくは８５％、又は最も好ましくは９０％の粒子壁厚が１〜５００マイクロメートル、より好ましくは２０マイクロメートル〜２５０マイクロメートル、最も好ましくは５０マイクロメートル〜１５０マイクロメートルであり、好ましくは前記消費者製品が、構造化剤、抗凝集剤、及びこれらの混合物からなる群から選択される材料を含み、好ましくは構造化剤が水添硬化ヒマシ油誘導体を含む、消費者製品。
【請求項７】
前記消費者製品が、
ａ）アニオン性界面活性剤及び／又は非イオン性界面活性剤（好ましくはアニオン性界面活性剤）、
ｂ）溶媒（好ましくは前記溶媒がブトキシプロポキシプロパノール及び／又はグリセロールを含む）、
ｃ）水（好ましくは組成物の総重量に基づいて１０重量％未満の水、より好ましくは２重量％〜１０重量％未満の水）、並びに
ｄ）所望により次のものからなる群から選択される１つ以上の成分：
（ｉ）粘土洗浄ポリマーと適合性のある漂白剤（好ましくは、前記粘土洗浄ポリマーと適合性のある漂白剤は、エトキシ化ヘキサメチレンジアミンジメチル第四級アンモニウム化合物、エトキシサルフェート化ヘキサメチレンジアミンジメチル第四級アンモニウム化合物、及びこれらの混合物からなる群から選択される）、
（ｉｉ）増白剤（好ましくは、前記増白剤は、４，４’−ビス（２−スルホスチリル）ビフェニル及び／又はビス（スルホベンゾフラニル）ビフェニル二ナトリウムから選択される蛍光増白剤を含む）、
（ｉｉｉ）ビルダー（好ましくは、前記ビルダーはクエン酸ナトリウムを含む）、並びに
（ｉｖ）キレート化剤（好ましくは前記キレート化剤は１−ヒドロキシエチリデン−１，１−ジホスホン酸（ＨＥＤＰ）を含む）、から選択される材料を含む、請求項１〜６のいずれか一項に記載の消費者製品。
【請求項８】
前記消費者製品が、
ａ．０．０００１重量％〜８重量％の洗浄酵素を含み、並びに
ｂ．６．５〜１０．５の正味ｐＨを有する、請求項１〜７のいずれか一項に記載の消費者製品。
【請求項９】
前記洗浄酵素が、リパーゼ、プロテアーゼ、アミラーゼ、セルラーゼ、ペクチン酸リアーゼ、キシログルカナーゼ、及びこれらの混合物からなる群から選択される酵素を含む、請求項８に記載の消費者製品。
【請求項１０】
前記消費者製品が、
ａ．０．１重量％〜１２重量％の漂白剤又は漂白剤系を含み、並びに
ｂ．６．５〜１０．５の正味ｐＨを有する、請求項１〜９のいずれか一項に記載の消費者製品。
【請求項１１】
前記消費者製品が、水溶性パウチ材により封入され、好ましくは前記パウチ材がポリビニルアルコール、ポリビニルアルコールコポリマー、ヒドロキシプロピルメチルセルロース（ＨＰＭＣ）、及びこれらの混合物を含む、請求項１〜１０のいずれか一項に記載の消費者製品。
【請求項１２】
部位を処理及び／又は洗浄する方法であって、前記方法が、
ａ．所望により、前記部位を洗浄及び／又はすすぐ工程と、
ｂ．前記部位を請求項１〜１１のいずれか一項に記載の消費者製品と接触させる工程と、
ｃ）所望により、前記部位を洗浄及び／又はすすぐ工程と、を含む、方法。
【請求項１３】
請求項１〜１２のいずれか一項に記載の消費者製品により処理した部位。
【請求項１４】
消費者製品補助成分及び粒子を含む、消費者製品の製造方法であって、
ａ）第一溶液であって、前記第一溶液中に懸濁及び／又は溶解させた、溶液の総重量に基づいて約０．５重量％〜約１０重量％の物質シンクと、１種以上の溶媒と、を含む第一溶液を調製する工程であって、好ましくは、前記溶媒が水、エタノール、アセトン、ジクロロメタン、及びこれらの混合物を含む、工程と、
ｂ）第二溶液であって、前記第二溶液中に懸濁及び／又は溶解させた、溶液の総重量に基づいて約２重量％〜約２０重量％のバリア材料と、１種以上の溶媒と、を含む第二溶液を調製する工程であって、好ましくは、前記溶媒が水、エタノール、アセトン、ジクロロメタン、及びこれらの混合物を含む、工程と、
ｃ）所望により、第三溶液であって、前記第三溶液中に懸濁及び／又は溶解させた、溶液の総重量に基づいて約２重量％〜約２０重量％のバリア材料と、１種以上の溶媒と、を含む第三溶液を調製する工程であって、好ましくは、前記溶媒が水、エタノール、アセトン、ジクロロメタン、及びこれらの混合物を含む、工程と、
ｄ）所望により、抗凝集剤を前記第一、第二、及び／又は第三溶液と合わせる工程と、
ｅ）所望により、前記コア材料と結合剤を凝集させて、第一組成物を形成する工程であって、好ましくは前記凝集プロセスが、流動層加工、高せん断凝集加工又はこれらの組み合わせを含む、工程と、
ｆ）前記コア材料又は前記第一組成物を２５℃〜９０℃の温度のチャンバ内で流動化する工程であって、好ましくは、前記チャンバが、所望によりワッシャを備えた流動層コーターを含み、より好ましくは前記チャンバが噴流層を含む、工程と、
ｇ）前記流動化したコア材料又は前記第一組成物に前記第一溶液をスプレーすることにより、第二組成物を形成する工程であって、好ましくは前記スプレープロセスが二液ノズルを含む、工程と、
ｈ）前記第二組成物を２５℃〜９０℃の温度のチャンバ内で流動化する工程であって、好ましくは、前記チャンバが、所望によりワッシャを備えた流動層コーターを含み、より好ましくは前記チャンバが噴流層を含む、工程と、
ｉ）前記流動化した前記第二組成物に前記第二溶液をスプレーすることにより、第三組成物を形成する工程であって、好ましくは前記スプレープロセスが二液ノズルを含む、工程と、
ｊ）所望により、前記第三組成物を２５℃〜９０℃の温度のチャンバ内で流動化する工程であって、好ましくは、前記チャンバが、所望によりワッシャを備えた流動層コーターを含み、より好ましくは前記チャンバが噴流層を含む、工程と、
ｋ）所望により、前記三組成物に前記第三溶液をスプレーすることにより、第四組成物を形成する工程であって、好ましくは前記スプレープロセスが二液ノズルを含む、工程と、
ｌ）所望により、前記第三及び／又は第四組成物を凝集させることにより、第五組成物を形成する工程と、
ｍ）前記第三、第四、及び／又は第五組成物を１つ以上の消費者製品補助材料と合わせる工程と、を含む、方法。
【発明の詳細な説明】
【技術分野】
【０００１】
本開示は、有益剤を含む粒子、及びこのような粒子を含む製品、並びにこのような粒子及びこのような粒子を含む製品の製造及び使用方法に関する。
【背景技術】
【０００２】
製品、例えば、消費者製品には、このような製品に及び／又はこのような製品と接触した部位に所望の効果−例えば、染み除去及び／又は漂白−をもたらし得る、１種以上の有益剤を含ませることができる。残念なことに、ある種の製品、例えば液体製品では、使用前に予形成過酸などの有益剤が分解される恐れがあり、あるいは有益剤によりこのような製品の成分が分解される恐れがある−このような懸念は、特に、製品のｐＨが約６超である場合に当てはまる。したがって、有益剤から成分を保護する保護系が所望される。この領域では様々な試みがなされてきたが、典型的には所望される程度の保護をもたらすことができないか、あるいは必要とされる時点で有益剤を放出させることができないかのいずれかの欠点を有している。
【発明の概要】
【発明が解決しようとする課題】
【０００３】
したがって、製品の使用時に利用可能であり、なおかつ、製品の保管時には製品を破損させることない封入された有益剤が必要とされている。出願者らは、予形成された過酸などの有益剤を含む粒子を開示し、この粒子では、有益剤は第一層を形成する第一材料により封入されており、上記第一層は第二層を形成する第二材料により封入されている。理論に束縛されるものではないが、出願者らは、第二層が、粒子を周囲環境、例えば、液体洗剤環境から分離するバリアとして機能し、第一層が粒子周囲の環境から任意の成分を吸収する物質シンクとして、すなわち第二層を通過して拡散又は任意の他の手段によりうまい具合（successfully）に浸透してくる任意の成分を吸収する、物質シンクとして機能するものと考えている。このような粒子は、保管時には消費者製品などの製品中で安定である一方で、封入している有益剤を製品の使用時などに必要に応じて放出する。驚くべきことに、このような粒子の製造方法は有益剤を過度に変性させず、かつこのような粒子を製品に採用した場合、粒子は、安定である一方で、製品を目的通りに使用した際に所望される量の有益剤を放出する。
【課題を解決するための手段】
【０００４】
本開示は、第一層により有益剤を封入され、なおかつ第一層が第二材料により封入された粒子、及びこのような粒子を含む製品、並びにこのような粒子及びこのような粒子を含む製品の製造及び使用方法に関する。
【図面の簡単な説明】
【０００５】
【図１】二重のシェル系により封入されたコアを有する代表的な粒子。
【発明を実施するための形態】
【０００６】
定義
本明細書で使用するとき、「消費者製品」は、販売される形態での使用を一般に意図する、ベビーケア、ビューティケア、衣類及びホームケア、ファミリーケア、フェミニンケア製品又はデバイスを意味する。このような製品としては、限定するものではないが、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、並びに消費者用又は業務用の他の洗浄などの、布地及びホームケア領域内の布地、硬質表面、及び任意の他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングを含む口腔ケアに関連する製品及び／又は方法が挙げられる。
【０００７】
本明細書で使用するとき、用語「洗浄及び／又は処理組成物」は、特に断りのない限り、ビューティケア、布地及びホームケア製品を包含する消費者製品の部分集合である。このような製品としては、限定するものではないが、脱色、着色、染色、コンディショニング、シャンプー、スタイリングを含む毛髪（ヒト、イヌ、及び／又はネコ）を処理するための製品；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、顆粒又は粉末状の多目的すなわち「強力」洗浄剤、特に洗浄洗剤を含む、布地及びホームケア領域内の布地、硬質表面、及び任意の他の表面を処理するための製品；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭又は業務用の各種の錠剤、顆粒、液体、及びすすぎ補助剤型を含む食器洗い機用洗剤；抗菌手洗い用型を含む液体洗浄及び殺菌剤、手洗い石鹸、マウスウォッシュ、義歯洗浄剤、歯磨剤、車又はカーペット用シャンプー、便器洗浄剤を含む浴室洗浄剤；ヘアシャンプー及びヘアリンス；シャワーゲル、上質な芳香剤、及び泡状溶液、並びに金属洗浄剤；に加えて漂白添加剤、及び「染み用スティック」又は前処理用型などの洗浄助剤、乾燥機添加シート等の基材を有する製品、乾燥及び湿潤型拭取り用品並びにパッド、不織布基材、及びスポンジ；並びにすべて消費者及び／又は業務用のスプレー剤、及びミスト剤；並びに／又は練り歯磨き、歯用ジェル、歯用リンス、義歯接着剤、歯ホワイトニングを含む口腔ケアに関連する方法が挙げられる。
【０００８】
本明細書で使用するとき、「布地及び／若しくは硬質表面洗浄及び／又は処理組成物」という用語は、特に指示のない限り、顆粒又は粉末状の多目的すなわち「強力」洗浄剤、特に洗浄洗剤；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭用及び業務用の各種の錠剤、顆粒、液体、及びすすぎ補助剤型を含む食器洗い機用洗剤；抗菌手洗い用型を含む液体洗浄殺菌剤、手洗い石鹸、車又はカーペット用シャンプー、便器洗浄剤を含む浴室洗浄剤；並びに金属洗浄剤、液体、固体、及び／又は乾燥機用シート形態であり得る柔軟化及び／又はフレッシュニングを含む布地コンディショニング製品；に加えて漂白添加剤、及び「染み用スティック」又は前処理用型などの洗浄助剤、乾燥機添加シート等の基材を有する製品、乾燥及び湿潤型拭取り用品並びにパッド、不織布基材、及びスポンジ；並びにスプレー剤、及びミスト剤が挙げられる洗浄及び処理組成物の部分集合である。適用可能であるこのような製品のすべては、標準形態又は濃縮形態であり得、又は特定の態様では、このような製品は、更には非水性であり得る程度に高濃縮された形態であり得る。
【０００９】
本明細書で使用するとき、「ａ」及び「ａｎ」のような冠詞は、特許請求の範囲で使用されるときには、１つ以上の請求又は記載されるものを意味するものと理解される。
【００１０】
本明細書で使用するとき、用語「包含する（include）」、「包含する（includes）」及び「包含している（including）」は、非限定的であるように意味される。
【００１１】
本明細書で使用するとき、用語「固体」は、顆粒、粉末、塊、及び錠剤の製品形態を含む。
【００１２】
本明細書で使用するとき、用語「流体」は、液体、ゲル、ペースト及びガスの製品形態を含む。
【００１３】
本明細書で用いるとき、用語「部位（situs）」には、紙製品、繊維、衣服、硬質表面、毛髪、及び皮膚が含まれる。
【００１４】
特記しない限り、成分又は組成物の濃度はすべて、当該成分又は組成物の活性部分に関するものであり、このような成分又は組成物の市販の供給源に存在し得る不純物、例えば残留溶媒又は副生成物は除外される。
【００１５】
百分率及び比率はすべて、特に指示しない限り、重量で計算される。百分率及び比率はすべて、特に指示しない限り、組成物全体を基準にして計算される。
【００１６】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲がすべて本明細書に明確に記載されているかのように含む。
【００１７】
消費者製品
一態様では、シェル及びコアを含む粒子であって、上記シェルが、少なくとも第一層及び第二層を含み、上記第一層が上記コアを封入し、かつ物質シンクを含み、上記第二層が上記第一層を封入し、かつバリア材料を含み、上記粒子の粒径が約１５０マイクロメートル〜約３０００マイクロメートル、約５００マイクロメートル〜約２０００マイクロメートル、又は更には約７５０マイクロメートル〜約１５００マイクロメートルである粒子が開示される。
【００１８】
上記粒子の一態様では、上記物質シンクは小分子用のシンクから構成されてよく、上記粒子の分子量は約５００グラム／ｍｏｌ〜約１８グラム／ｍｏｌ、約３００グラム／ｍｏｌ〜約１８グラム／ｍｏｌ、又は更には約１００グラム／ｍｏｌ〜約２８グラム／ｍｏｌであってよい。一態様では、上記小分子は、水、有機材料及びこれらの混合物から選択され得る。一態様では、上記有機材料は、エタノール、プロピレングリコール、酢酸エチル、トランス−２−ヘキサナール、シス−３ヘキセノール、メチルヘプテノン、シンナムアルバ（cinnamalva）、ベンズアルデヒド、ベンジルアルコール及びこれらの混合物からなる群から選択され得る。理論により制限されるものではないが、小分子は拡散勾配全体に広がるネットワークへと吸引され、上記ネットワークは物質シンクにより形成され、上記物質シンクは膨潤し、第一層と第二層の間の境界面の密封が促進される場合さえあり得ると考えられる。膨潤は、以降に詳細に記載される遠心保持試験方法により測定することができる。
【００１９】
上記粒子の一態様では、
ａ）上記物質シンクは、水溶性及び／又は水分散性非還元型多糖、水溶性及び／又は水分散性アクリレート誘導体、並びにこれらの混合物から選択される材料を含んでもよく、
ｂ）上記バリア材料は、ポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、及びこれらの混合物からなる群から選択される材料を含んでもよく、
ｃ）上記コア材料は、予形成過酸、金属触媒、漂白活性化剤、漂白増進剤、ジアシルペルオキシド、過酸化水素源、及び酵素からなる群から選択される材料を含んでもよい。
【００２０】
上記粒子の一態様では、
ａ）上記金属触媒は、ジクロロ−１，４−ジエチル−１，４，８，１１−テトラアザビシクロ（tetraaazabicyclo）［６．６．２］ヘキサデカンマンガン（ＩＩ）；ジクロロ−１，４−ジメチル−１，４，８，１１−テトラアザビシクロ（tetraaazabicyclo）［６．６．２］ヘキサデカンマンガン（ＩＩ）、及びこれらの混合物からなる群から選択される材料を含んでもよく、
ｂ）上記漂白増進剤は、２−［３−［（２−ヘキシルドデシル）オキシ］−２−（スルホオキシ）プロピル］−３，４−ジヒドロイソキノリニウム（分子内塩）、３，４−ジヒドロ−２−［３−［（２−ペンチルウンデシル）オキシ］−２−（スルホオキシ）プロピル］イソキノリニウム（分子内塩）、２−［３−［（２−ブチルデシル）オキシ］−２−（スルホオキシ）プロピル］−３，４−ジヒドロイソキノリニウム（分子内塩）、３，４−ジヒドロ−２−［３−（オクタデシルオキシ）−２−（スルホオキシ）プロピル］イソキノリニウム（分子内塩）、２−［３−（ヘキサデシルオキシ）−２−（スルホオキシ）プロピル］−３，４−ジヒドロイソキノリニウム（分子内塩）、３，４−ジヒドロ−２−［２−（スルホオキシ）−３−（テトラデシルオキシ）プロピル］イソキノリニウム（分子内塩）、２−［３−（ドデシルオキシ）−２−（スルホオキシ）プロピル］−３，４−ジヒドロイソキノリニウム（分子内塩）、２−［３−［（３−ヘキシルデシル）オキシ］−２−（スルホオキシ）プロピル］−３，４−ジヒドロイソキノリニウム（分子内塩）、３，４−ジヒドロ−２−［３−［（２−ペンチルノニル）オキシ］−２−（スルホオキシ）プロピル］イソキノリニウム（分子内塩）、３，４−ジヒドロ−２−［３−［（２−プロピルヘプチル）オキシ］−２−（スルホオキシ）プロピル］イソキノリニウム（分子内塩）、２−［３−［（２−ブチルオクチル）オキシ］−２−（スルホオキシ）プロピル］−３，４−ジヒドロイソキノリニウム（分子内塩）、２−［３−（デシルオキシ）−２−（スルホオキシ）プロピル］−３，４−ジヒドロイソキノリニウム（分子内塩）、３，４−ジヒドロ−２−［３−（オクチルオキシ）−２−（スルホオキシ）プロピル］イソキノリニウム（分子内塩）、２−［３−［（２−エチルヘキシル）オキシ］−２−（スルホオキシ）プロピル］−３，４−ジヒドロイソキノリニウム（分子内塩）、並びにこれらの混合物からなる群から選択される材料を含んでもよく、
ｃ）上記漂白活性化剤は、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、過加水分解可能なエステル、４−［Ｎ−（ノナオイル）アミノヘキサノイルオキシ］−ベンゼンスルホン酸ナトリウム（ＮＡＣＡ−ＯＢＳ）、ドデカノイルオキシベンゼンスルホネート（ＬＯＢＳ又はＣ１２−ＯＢＳ）、１０−ウンデセノイルオキシベンゼンスルホネート（１０位に不飽和を有するＵＤＯＢＳ又はＣ１１−ＯＢＳ）、デカノイルオキシ安息香酸（ＤＯＢＡ）、（６−オクタンアミドカプロイル）オキシベンゼンスルホネート；（６−ノナンアミドカプロイル）オキシベンゼンスルホネート；（６−デカンアミドカプロイル）オキシベンゼンスルホネート、並びにこれらの混合物からなる群から選択される材料を含んでもよく、
ｄ）上記予形成過酸は、過硫酸、過ヨウ素酸、過炭酸、過カルボン酸、及び上記酸の塩からなる群から選択される材料を含んでもよく、一態様では、上記過カルボン酸及びその塩は、フタルイミドペルオキシヘキサン酸、１，１２−ジペルオキシドデカン二酸、又はモノペルオキシフタル酸（マグネシウム塩六水和物）、アミドペルオキシ酸を含んでもよく、一態様では、上記アミドペルオキシ酸は、Ｎ，Ｎ’−テレフタロイル−ジ（６−アミノカプロン酸）、ペルオキシこはく酸（ＮＡＰＳＡ）又はペルオキシアジピン酸（ＮＡＰＡＡ）のいずれかのモノノニルアミド、Ｎ−ノナノイルアミノペルオキシカプロン酸（ＮＡＰＣＡ）、及びこれらの混合物を含んでよく、一態様では、上記予形成過酸は、フタルイミドペルオキシヘキサン酸、例えばＥＵＲＥＣＯ（商標）Ｗ、ＥＵＲＥＣＯ（商標）Ｍ、ＥＵＲＥＣＯ（商標）ＭＧ、及びこれらの混合物などの好適なフタルイミドペルオキシヘキサン酸を含んでもよく、
ｅ）上記ジアシルペルオキシドは、ジノナノイルペルオキシド、ジデカノイルペルオキシド、ジウンデカノイルペルオキシド、ジラウロイルペルオキシド、ジベンゾイルペルオキシド、ジ−（３，５，５−トリメチルヘキサノイル）ペルオキシド及びこれらの混合物からなる群から選択される材料を含んでもよく、一態様では、上記ジアシルペルオキシドは、包接ジアシルペルオキシドからなる群から選択される材料を含んでもよく、
ｆ）上記過酸化水素源は、過ホウ酸塩、過炭酸塩、ペルオキシ水和物、過硫酸塩、及びこれらの混合物からなる群から選択される材料を含んでもよく、一態様では、上記過酸化水素源は過ホウ酸ナトリウムを含んでもよく、一態様では、上記過ホウ酸ナトリウムは、一水和物又は四水和物、ピロリン酸ナトリウム過酸化水和物、尿素過酸化水和物又はリン酸三ナトリウム過酸化水和物及びこれらの混合物を含んでもよく、
ｇ）上記酵素は、ペルオキシダーゼ、プロテアーゼ、リパーゼ、ホスホリパーゼ、セロビオヒドロラーゼ、セロビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含んでもよい。
【００２１】
上記粒子の一態様では、上記コアは、上記コア材料の組み合わせを含んでもよい。一態様では、上記コア材料は、凝集体であってもよい。一態様では、上記コア材料の上記組み合わせは、上記物質シンクとバリア材料とで封入される。
【００２２】
上記粒子の一態様では、
ａ）上記ポリビニルアルコールは、加水分解度が約８０ｍｏｌ％〜約９９ｍｏｌ％、又は約８７ｍｏｌ％〜約８９ｍｏｌ％であり、かつ分子量が約１０，０００グラム／ｍｏｌ〜約７５０，０００グラム／ｍｏｌ、又は約３０，０００グラム／ｍｏｌ〜約３００，０００グラム／ｍｏｌのポリビニルアルコール変異体を含んでもよく、
ｂ）上記ポリ酢酸ビニルは、重合度が約１５０〜５，０００，約１５０〜２，０００又は更には約１９０〜約１，０００のポリ酢酸ビニル変異体を含んでもよく、
ｃ）上記酢酸セルロースは、分子量約３０，０００〜約５０，０００グラム／ｍｏｌの酢酸セルロース変異体を含んでもよい。
【００２３】
上記バリア材料の一態様では、上記バリア材料は、約４〜約９のｐＨ範囲内ではｐＨ反応性でない材料を含んでもよい。
【００２４】
上記バリア材料の一態様では、上記バリア材料は良好なフィルム形成ポリマーを含んでもよい。
【００２５】
上記バリア材料の一態様では、上記バリア材料は誘電定数が約３．２〜約９．３のポリマーを含んでもよい。
【００２６】
上記粒子の一態様では、上記バリア材料は、前述のポリマーの誘電定数を減少させる有機粘土を更に含んでもよい。好適な有機粘土は、有機的に修飾された、例えば、脂肪族アミンにより修飾されたモンモリロナイト粘土を含んでよい。
【００２７】
上記粒子の一態様では、
ａ）上記水溶性及び／又は水分散性非還元型多糖は、キサンタンガム、ダイユータンガム、グアーガム、ジェランガム、カラギーナン、相乗的なゴム系、及びこれらの混合物からなる群から選択される材料を含んでもよい。好適なキサンタンガムとしては、Ｋｅｌｚａｎ（登録商標）ＡＳＸ−Ｔ、Ｋｅｌｚａｎ（登録商標）ＡＳＸ、Ｋｅｌｚａｎ（登録商標）ＨＰ−Ｔ、Ｔｉｃａｘａｎ（登録商標）が挙げられ、好適なジェランガムとしては、Ｋｅｌｃｏｇｅｌ（登録商標）ＣＧ−ＬＡ、Ｋｅｌｃｏｇｅｌ（登録商標）ＣＧ−ＨＡが挙げられ、好適なカラギーナンガムとしては、Ｇｅｎｕｖｉｓｃｏ（登録商標）、Ｇｅｎｕｇｅｌ（登録商標）が挙げられ、好適な相乗的なガム系としては、多機能ガム（Action gum）が挙げられる。並びに
ｂ）上記水溶性及び／又は水分散性アクリルレート誘導体のガラス転移温度は約５０℃〜約１３０℃であり、又は更には約９０℃〜約１１５℃であってもよい。理論により制限されるものではないが、水溶性及び／又は水分散性アクリレート誘導体は、粒子の製造時の温度がこれらの材料のガラス転移温度を下回る場合に、より良好なフィルム形成特性と、より大きな膨潤容量を有すると考えられる。好適なアクリレート誘導体としては、Ａｌｃｏｇｕｍ（登録商標）Ｌ−３１、Ａｌｃｏｇｕｍ（登録商標）Ｌ−２２９、Ａｌｃｏｇｕｍ（登録商標）Ｌ−２９９、Ａｌｃｏｇｕｍ（登録商標）１３７０、Ａｌｃｏｇｕｍ（登録商標）Ｌ−２５５、Ａｌｃｏｇｕｍ（登録商標）Ｌ−２３７、Ａｌｃｏｇｕｍ（登録商標）Ｌ−２５１、Ａｌｃｏｇｕｍ（登録商標）Ｌ−２９６−Ｗ、Ａｃｕｓｏｌ（商標）８２０、及びＡｃｕｓｏｌ（商標）８０１Ｓが挙げられる。
【００２８】
上記粒子の一態様では、上記物質シンクは、約２０℃〜約１５０℃の温度、又は更には約６０℃〜約１５０℃の温度にて固体である物質を含んでもよい。
【００２９】
上記物質シンクの一態様では、上記物質シンクの遠心時保持用量（centrifuge retention capacity）は、約２グラム／グラム〜約５００グラム／グラム、約１０グラム／グラム〜約３００グラム／グラム、又は更には約５０グラム／グラム〜約１５０グラム／グラムであってもよい。
【００３０】
上記シンク材料の一態様では、上記シンク材料は、アニオン性非還元型多糖を含んでもよい。
【００３１】
上記粒子の一態様では、上記物質シンクはアニオン性非還元型多糖を含んでもよく、これは、上記アニオン性の非還元型多糖の（負）電荷をマスクすることのできるバリア材料、例えば誘電定数が約３．２〜約８．３であるポリマーを含むバリア材料などにより封入することができる。
【００３２】
上記粒子の一態様では、上記粒子の安定度指数は約０．８０〜約１、約０．９０〜約１、又は更には約０．９５〜約１であってよい。
【００３３】
上記粒子の一態様では、上記粒子の放出指数は約０．２５〜約１、約０．５０〜約１、又は更には約０．８５〜約１であってもよい。
【００３４】
上記粒子の一態様では、上記粒子のコア対シェル質量比は、約５：９５〜約８０：２０、約１５：８５〜約６０：４０、又は更には約２５：７５〜約５０：５０であってもよい。
【００３５】
上記粒子の一態様では、上記粒子の物質シンク材料対バリア材料質量比は、約２０：８０〜約３：９７、又は更には約１５：８５〜１０：９０であってもよい。
【００３６】
上記粒子の一態様では、上記粒子は第三層を含んでよく、上記第三層は、第二バリア材料を含んでもよい。一態様では、上記第三層は、上記第一層と第二層の間に配置することができる。他の態様では、上記第三層により、上記第二層の外表面を封入することもできる。一態様では、上記第二バリア材料は、ポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、セラック、フタル酸ヒドロキシプロピルメチルセルロース、酢酸フタル酸セルロース、及びこれらの混合物を含み得る。
【００３７】
消費者製品の一態様では、上記消費者製品は、上記粒子と、補助剤成分とを含み得る。
【００３８】
上記消費者製品の一態様では、上記消費者製品は、上記粒子の少なくとも７５％、８５％又は更には９０％の粒子壁厚が約１〜約５００マイクロメートル、約２０マイクロメートル〜約２５０マイクロメートル、又は更には約５０マイクロメートル〜約１５０マイクロメートルであり得る。
【００３９】
上記消費者製品の一態様では、上記消費者製品は、外部構造化系、抗凝集剤、及びこれらの混合物からなる群から選択される材料を含んでもよい。
【００４０】
上記消費者製品の一態様では、上記外部構造化系は、水添硬化ヒマシ油誘導体である。
【００４１】
上記消費者製品の一態様では、上記消費者製品は、次のものから選択される材料を含み得る：
ａ）アニオン性界面活性剤及び／又は非イオン性界面活性剤（一態様ではアニオン性界面活性剤）、
ｂ）溶媒（一態様では上記溶媒はブトキシプロポキシプロパノール及び／又はグリセロールを含み得る）、
ｃ）水（一態様では、組成物の総重量に基づいて、約１０重量％未満の水、又は約２重量％〜約１０重量％の水）、
ｄ）所望により次のものからなる群から選択される１つ以上の成分：
ｉ．粘土洗浄ポリマーと適合性のある漂白剤（一態様では、上記粘土洗浄ポリマーと適合性のある漂白剤は、エトキシ化ヘキサメチレンジアミンジメチル第四級アンモニウム化合物、エトキシサルフェート化ヘキサメチレンジアミンジメチル第四級アンモニウム化合物、及びこれらの混合物からなる群から選択され得る）、
ｉｉ．増白剤（一態様では、上記増白剤は、４，４’−ビス（２−スルホスチリル）ビフェニル及び／又はビス（スルホベンゾフラニル）ビフェニル二ナトリウムから選択される蛍光増白剤を含み得る）、
ｉｉｉ．ビルダー（一態様では、上記ビルダーはクエン酸ナトリウムを含み得る）、
ｉｖ．キレート化剤（一態様では、上記キレート化剤は１−ヒドロキシエチリデン−１，１−ジホスホン酸（ＨＥＤＰ）を含み得る）。
【００４２】
上記消費者製品の一態様では、上記消費者製品は、
ａ）０．０００１重量％〜８重量％の洗浄酵素を含み、並びに
ｂ）６．５〜１０．５の正味ｐＨを有する。
【００４３】
上記消費者製品の一態様では、上記洗浄酵素は、リパーゼ、プロテアーゼ、アミラーゼ、セルラーゼ、ペクチン酸リアーゼ、キシログルカナーゼ、及びこれらの混合物からなる群から選択される酵素を含み得る。
【００４４】
上記消費者製品の一態様では、上記消費者製品は、
ａ）０．１重量％〜１２重量％の漂白剤又は漂白剤系を含んでもよく、並びに
ｂ）６．５〜１０．５の正味ｐＨを含んでもよい。
【００４５】
上記消費者製品の一態様では、上記消費者製品は水溶性パウチ材により封入されてもよく、一態様では、上記パウチ材はポリビニルアルコール、ポリビニルアルコールコポリマー、ヒドロキシプロピルメチルセルロース（ＨＰＭＣ）、及びこれらの混合物を含み得る。
【００４６】
本発明を実施するのに好適な材料及び装置は次から得られる：Ｇｅｒｍａｎｙ  ＳＳＢ（Ｓｔｒｏｅｖｅｒ  ＧｍｂＨ  ＆  Ｃｏ．ＫＧ，Ｍｕｇｇｅｎｂｕｒｇ  １１，２８２１７  Ｂｒｅｍｅｎ，Ｇｅｒｍａｎｙ）；Ｓｉｇｍａ  Ａｌｄｒｉｃｈ  ＮＶ／ＳＡ（Ｋａｒｄｉｎａａｌ  Ｃａｒｄｉｊｎｐｌｅｉｎ  ８，２８８０  Ｂｏｒｎｅｍ，Ｂｅｌｇｉｕｍ）；ＰｒｏＣｅｐＴ  ｎｖ（Ｒｏｓｔｅｙｎｅ  ４，９０６０  Ｚｅｌｚａｔｅ，Ｂｅｌｇｉｕｍ）；ＧＥＡ  Ｐｒｏｃｅｓｓ  Ｅｎｇｉｎｅｅｒｉｎｇ  Ｉｎｃ．（・９１６５  Ｒｕｍｓｅｙ  Ｒｏａｄ・Ｃｏｌｕｍｂｉａ，ＭＤ  ２１０４５，ＵＳ）；Ｍｅｔｔｌｅｒ−Ｔｏｌｅｄｏ，Ｉｎｃ．（１９００  Ｐｏｌａｒｉｓ  Ｐａｒｋｗａｙ，Ｃｏｌｕｍｂｕｓ，ＯＨ，４３２４０，ＵＳ）；ＩＫＡ−Ｗｅｒｋｅ  ＧｍｂＨ  ＆  Ｃｏ．（ＫＧ，Ｊａｎｋｅ  ＆  Ｋｕｎｋｅｌ  Ｓｔｒ．１０，７９２１９  Ｓｔａｕｆｅｎ，Ｇｅｒｍａｎｙ）；Ａｌｆａ  Ａｅｓａｒ  ＧｍｂＨ  ＆  Ｃｏ（ＫＧ，Ｚｅｐｐｅｌｉｎｓｔｒａｓｓｅ  ７，７６１８５  Ｋａｒｌｓｒｕｈｅ，Ｇｅｒｍａｎｙ）；Ｅａｓｔｍａｎ  Ｃｈｅｍｉｃａｌ  Ｃｏｍｐａｎｙ（ＰＯ  Ｂｏｘ  ４３１，Ｋｉｎｇｓｐｏｒｔ，Ｔｅｎｎｅｓｓｅｅ  ３７６６２，ＵＳ）；Ｇｌａｔｔ  Ｉｎｇｅｎｉｅｕｒｔｅｃｈｎｉｋ  ＧｍｂＨ（Ｎｏｒｄｓｔｒａｓｓｅ  １２，９９４２７  Ｗｅｉｍａｒ，Ｇｅｒｍａｎｙ）；Ｔｉｃ  Ｇｕｍｓ（Ｗｈｉｔｅ  Ｍａｒｓｈ，ＭＤ  ２１１６２，１０５５２  Ｐｈｉｌａｄｅｌｐｈｉａ  Ｒｄ，ＵＳＡ）；ＣＰ  Ｋｅｌｃｏ（Ｂ．Ｖ．，Ｄｅｌｔａ  １Ｐ，Ｂｕｓｉｎｅｓｓ  Ｐａｒｋ  Ｉｊｓｓｅｌｏｏｒｄ  ２，６８２５  ＨＬ  Ａｒｎｈｅｍ，Ｔｈｅ  Ｎｅｔｈｅｒｌａｎｄｓ）；Ｓｏｌｖａｙ  Ｃｈｉｍｉｃａ  Ｂｕｓｓｉ，（Ｖｉａ  Ｍａｒｏｓｔｉｃａ  １，２０１４６  Ｍｉｌａｎｏ，Ｉｔａｌｙ）；Ｅｎｄｅｃｏｔｔｓ  ＬＴＤ（９  Ｌｏｍｂａｒｄ  Ｒｏａｄ，Ｌｏｎｄｏｎ，ＳＷ１９  ３ＴＺ，Ｕｎｉｔｅｄ  Ｋｉｎｇｄｏｍ）；ＶＷＲ  Ｉｎｔｅｒｎａｔｉｏｎａｌ（Ｅｕｒｏｌａｂ  Ｓ．Ｌ．，Ｃ／Ｄｅ  ｌａ  Ｔｅｃｎｏｌｏｇｉａ，５〜１７，Ａ−７  Ｌｌｉｎａｒｓ  Ｐａｒｋ，０８４５０  Ｌｌｉｎａｒｓ  ｄｅｌ  Ｖａｌｌｅｓ，Ｓｐａｉｎ，ＦＲＩＴＳＣＨ  ＧｍｂＨ  Ｔｅｌｅｐｈｏｎｅ）：（０６７８４／７０−１５３，Ｉｎｄｕｓｔｒｉｅｓｔｒａｓｓｅ  ８，５５７４３  Ｉｄａｒ−Ｏｂｅｒｓｔｅｉｎ，Ｇｅｒｍａｎｙ）；Ｍｅｔｒｏｈｍ  ＡＧ（Ｏｂｅｒｄｏｒｆｓｔｒａｓｓｅ  ６８，９１０１  Ｈｅｒｉｓａｕ，Ｓｗｉｔｚｅｒｌａｎｄ）；Ｉｍｅｓ  ｎｖ（Ｅｋｋｅｌｇａａｒｄｅｎ  ２６，３５００  Ｈａｓｓｅｌｔ，Ｂｅｌｇｉｕｍ）；Ｇｅｒｈａｒｄｔ  ＧｍｂＨ  ＆  Ｃｏ．（Ｃａｅｓａｒｉｕｓｓｔｒａｓｓｅ  ９７，５２６３９  Ｋｏｅｎｉｇｓｗｉｎｔｅｒ，Ｇｅｒｍａｎｙ）；Ｋｅｍｉｒａ  Ｃｈｅｍｉｃａｌｓ，Ｉｎｃ．（１９５０  Ｖａｕｇｈｎ  Ｒｏａｄ，Ｋｅｎｎｅｓａｗ，ＧＡ  ３０１４４，Ｕｎｉｔｅｄ  Ｓｔａｔｅｓ）；Ｃｙｔｅｃ  Ｉｎｄｕｓｔｒｉｅｓ  Ｉｎｃ．（５  Ｇａｒｒｅｔ  Ｍｏｕｎｔａｉｎ  Ｐｌａｚａ，Ｗｏｏｄｌａｎｄ  Ｐａｒｋ，Ｎｅｗ  Ｊｅｒｓｅｙ  ０７４２４，Ｕｎｉｔｅｄ  Ｓｔａｔｅｓ）；Ｈａｒｖａｒｄ  Ａｐ���ａｒａｔｕｓ（Ｓ．Ａ．Ｒ．Ｌ，６  Ａｖｅ  ｄｅｓ  Ａｎｄｅｓ，Ｍｉｎｉｐａｒｃ−Ｂａｔ  ８，９１９５２  Ｌｅｓ  Ｕｌｉｓ  Ｃｅｄｅｘ，Ｆｒａｎｃｅ）。
【００４７】
消費者製品の製造方法
消費者製品補助成分及び粒子を含む、消費者製品の製造方法が開示され、上記方法は、以下の工程を含み得る：
ａ）第一溶液であって、上記第一溶液中に懸濁及び／又は溶解させた、溶液の総重量に基づいて約０．５重量％〜約１０重量％の物質シンクと、１種以上の溶媒と、を含む第一溶液を調製する工程。一態様では、このような溶媒は水、エタノール、アセトン、ジクロロメタン、及びこれらの混合物を含み得る。
【００４８】
ｂ）第二溶液であって、上記第二溶液中に懸濁及び／又は溶解させた、溶液の総重量に基づいて約２重量％〜約２０重量％のバリア材料と、１種以上の溶媒と、を含む第二溶液を調製する工程。一態様では、このような溶媒は水、エタノール、アセトン、ジクロロメタン、及びこれらの混合物を含み得る。
【００４９】
ｃ）所望により、第三溶液であって、上記第三溶液中に懸濁及び／又は溶解させた、溶液の総重量に基づいて約２重量％〜約２０重量％のバリア材料と、１種以上の溶媒と、を調製する工程。一態様では、このような溶媒は水、エタノール、アセトン、ジクロロメタン、及びこれらの混合物を含み得る。一態様では、上記バリア材料は、ポリビニルアルコール、ポリ酢酸ビニル、酢酸セルロース、ポリ（ビニル−アルコール−ｃｏ−ビニル酢酸）、アクリル酸−エチレン−酢酸ビニルコポリマー、セラック、フタル酸ヒドロキシプロピルメチルセルロース、酢酸フタル酸セルロース及び／又はこれらの混合物からなる群から選択される材料を含み得る。
【００５０】
ｄ）所望により、上記第一、第二、及び／又は第三溶液は、溶液の総重量に基づいて、約０．０１重量％〜約５重量％の可塑剤を含んでもよい。好適な可塑剤は、糖、糖アルコール、又はポリエチレングリコール（ＰＥＧ）などのポリオール、尿素、グリコール、プロピレングリコール又は他の既知の可塑剤、例えば、クエン酸トリエチル、ジブチル又はフタル酸ジメチル、ポリエチレングリセリン、ソルビトール、トリブチルクエン酸塩、ジブチルセバシン酸塩及び／又はポリソルベートなどを含み得る。
【００５１】
ｅ）所望により、抗凝集剤を上記第一、第二、及び／又は第三溶液と合わせる工程。好適な抗凝集剤としては、タルク、ＴｉＯ２、クレイ、シリカ、ステアリン酸マグネシウム、ステアリン酸、及び炭酸カルシウムなどの易溶性の及び難溶性の物質を挙げることができる。
【００５２】
ｆ）所望により、上記コア材料と結合剤を凝集させて第一組成物を形成する工程。一態様では、上記凝集工程は、流動層加工、高せん断凝集加工、又はこれらの組み合わせを含み得る。好適な結合剤としては、デンプン、加工デンプン、カラギーナン、アラビアゴム及びグアーガムなどの天然ポリマー、並びにポリエチレンオキシド、ポリビニルピロリドン、ポリエチレングリコール及びポリエチレンオキシド／ポリプロピレンオキシドなどの合成ポリマーが挙げられる。
【００５３】
ｇ）上記コア材料又は上記第一組成物を約２５℃〜約９０℃の温度のチャンバ内で流動化する工程。一態様では、このようなチャンバは流動層コーター、所望によりワッシャを含み得る。他の態様では、上記チャンバは噴流層を含み得る。
【００５４】
ｈ）上記流動化したコア材料又は上記第一組成物に対し上記第一溶液をスプレーすることにより、第二組成物を形成する工程。一態様では、上記スプレープロセスは二液ノズルを含み得る。
【００５５】
ｉ）上記第二組成物を約２５℃〜約９０℃の温度のチャンバ内で流動化する工程。一態様では、このようなチャンバは流動層コーター、所望によりワッシャを含み得る。他の態様では、上記チャンバは噴流層を含み得る。
【００５６】
ｊ）上記第二組成物に上記第二溶液をスプレーすることにより、第三組成物を形成する工程。一態様では、上記スプレープロセスは二液ノズルを含み得る。
【００５７】
ｋ）所望により、上記第三組成物を約２５℃〜約９０℃の温度のチャンバ内で流動化する工程。一態様では、このようなチャンバは、所望によりワッシャを備えた流動層コーターを含み得る。他の態様では、上記チャンバは噴流層を含み得る。
【００５８】
ｌ）所望により、上記第三組成物に上記第三溶液をスプレーすることにより、第四組成物を形成する工程。一態様では、上記スプレープロセスは二液ノズルを含み得る。
【００５９】
ｍ）所望により、上記第三及び／又は第四組成物を凝集させることにより、第五組成物を形成する工程。
【００６０】
ｎ）上記第三、第四、及び／又は第五組成物を１つ以上の消費者製品補助材料と合わせる工程。
【００６１】
上記消費者製品の製造法の一態様では、上記方法は次の工程を含み得る：
ａ）第一溶液であって、上記第一溶液中に懸濁及び／又は溶解させた、溶液の総重量に基づいて約０．５重量％〜約１０重量％の物質シンクと、１種以上の溶媒と、を含む第一溶液を調製する工程。一態様では、このような溶媒は水、エタノール、アセトン、ジクロロメタン、及びこれらの混合物を含み得る。
【００６２】
ｂ）第二溶液であって、上記第二溶液中に懸濁及び／又は溶解させた、溶液の総重量に基づいて約２重量％〜約２０重量％のバリア材料と、１種以上の溶媒と、を含む第二溶液を調製する工程。一態様では、このような溶媒は水、エタノール、アセトン、ジクロロメタン、及びこれらの混合物を含み得る。
【００６３】
ｃ）所望により、第三溶液であって、上記第三溶液中に懸濁及び／又は溶解させた、溶液の総重量に基づいて約２重量％〜約２０重量％のバリア材料と、１種以上の溶媒と、を調製する工程。一態様では、このような溶媒は水、エタノール、アセトン、ジクロロメタン、及びこれらの混合物を含み得る。一態様では、上記バリア材料は、ポリビニルアルコール、ポリ酢酸ビニル、酢酸セルロース、ポリ（ビニル−アルコール−ｃｏ−ビニル酢酸）、アクリル酸−エチレン−酢酸ビニルコポリマー、セラック、フタル酸ヒドロキシプロピルメチルセルロース、酢酸フタル酸セルロース及び／又はこれらの混合物からなる群から選択される材料を含み得る。
【００６４】
ｄ）所望により、上記第一、第二、及び／又は第三溶液は、溶液の総重量に基づいて、約０．０１重量％〜約２重量％の可塑剤を含んでもよい。好適な可塑剤は、糖、糖アルコール、又はポリエチレングリコール（ＰＥＧ）などのポリオール、尿素、グリコール、プロピレングリコール又は他の既知の可塑剤、例えば、クエン酸トリエチル、ジブチル又はフタル酸ジメチル、ポリエチレングリセリン、ソルビトール、トリブチルクエン酸塩、ジブチルセバシン酸塩及び／又はポリソルベートなどを含み得る。
【００６５】
ｅ）所望により、抗凝集剤を上記第一、第二、及び／又は第三溶液と合わせる工程。好適な抗凝集剤としては、タルク、ＴｉＯ２、クレイ、非晶質シリカ、ステアリン酸マグネシウム、ステアリン酸、及び炭酸カルシウムなどの易溶性の及び難溶性の物質を挙げることができる。
【００６６】
ｆ）所望により、上記コア材料と結合剤を凝集させて第一組成物を形成する工程。一態様では、上記凝集工程は、流動層加工、高せん断凝集加工、又はこれらの組み合わせを含み得る。好適な結合剤としては、デンプン、加工デンプン、カラギーナン、アラビアゴム及びグアーガムなどの天然ポリマー、並びにポリエチレンオキシド、ポリビニルピロリドン、ポリエチレングリコール及びポリエチレンオキシド／ポリプロピレンオキシドなどの合成ポリマーが挙げられる。
【００６７】
ｇ）上記コア材料又は上記第一組成物を約２５℃〜約９０℃の温度のチャンバ内で流動化する工程。一態様では、このようなチャンバは流動層コーター、所望によりワッシャを含み得る。他の態様では、上記チャンバは噴流層を含み得る。
【００６８】
ｈ）上記流動化したコア材料又は上記第一組成物に対し上記第一溶液をスプレーすることにより、第二組成物を形成する工程。一態様では、上記スプレープロセスは二液ノズルを含み得る。
【００６９】
ｉ）所望により、上記第二組成物を約２５℃〜約９０℃の温度のチャンバ内で流動化する工程。一態様では、このようなチャンバは、所望によりワッシャを備えた流動層コーターを含み得る。他の態様では、上記チャンバは噴流層を含み得る。
【００７０】
ｊ）所望により、上記第二組成物に上記第三溶液をスプレーすることにより、第三組成物を形成する工程。一態様では、上記スプレープロセスは二液ノズルを含み得る。
【００７１】
ｋ）上記第二又は第三組成物を約２５℃〜約９０℃の温度のチャンバ内で流動化する工程。一態様では、このようなチャンバは流動層コーター、所望によりワッシャを含み得る。他の態様では、上記チャンバは噴流層を含み得る。
【００７２】
ｌ）上記第二組成物に上記第二溶液をスプレーすることにより、第四組成物を形成する工程。一態様では、上記スプレープロセスは二液ノズルを含み得る。
【００７３】
ｍ）所望により、上記第四組成物を凝集させることにより、第五組成物を形成する工程。
【００７４】
ｎ）上記第四及び／又は第五組成物を１つ以上の消費者製品補助材料と合わせる工程。
【００７５】
補助成分
本発明の目的のために以下に例示される補助剤の非限定的な一覧は、本発明の組成物での使用に好適であり、例えば、性能を補助若しくは向上させるために、洗浄される基材の処理のために、又は香料、着色剤、染料などを用いる場合のように組成物の審美性を変化させるために、望ましくは本発明の特定の実施形態に組み込むことができる。列挙された粒子により、成分に加えこのような補助剤が供給されることが理解される。このような追加的成分の明確な性質、及びそれを組み込む濃度は、組成物の物理的形態及び使用されるべき作業の性質に依存する。好適な補助成分としては、限定するものではないが、界面活性剤、ビルダー、キレート化剤、移染防止剤、分散剤、酵素、及び酵素安定剤、触媒物質、漂白活性化剤、ポリマー系分散剤、粘土及び汚れ除去／再付着防止剤、光沢剤、泡抑制剤、染料、追加の香料及び香料送達系、外部構造化系、布地柔軟剤、キャリア、ヒドロトロープ、加工助剤、及び／又は色素が挙げられる。下記開示に加えて、このような他の補助剤の好適な例、及び使用濃度は、米国特許第５，５７６，２８２号、同第６，３０６，８１２（Ｂ１）号及び同第６，３２６，３４８（Ｂ１）号に見られ、これらは参照により組み込まれる。
【００７６】
各補助成分は、本出願人らの組成物にとって本質的なものではない。したがって、本出願人らの組成物の特定の実施形態は、以下の補助材料の１つ以上を含有しない：漂白活性化剤、界面活性剤、ビルダー、キレート化剤、移染防止剤、分散剤、酵素及び酵素安定剤、触媒金属錯体、ポリマー系分散剤、粘土及び汚れ除去／再付着防止剤、光沢剤、泡抑制剤、染料、追加の香料及び香料送達系、外部構造化剤、柔軟剤、キャリア、ヒドロトロープ、加工助剤、及び／又は顔料。このような補助剤が、本明細書に開示される粒子と組み合わせられる製品マトリクスを形成することで、消費者製品を完成してもよいことが理解される。一般的に、１種以上の補助剤が存在する場合、このような１種以上の補助剤は、以下に詳細に記載されるように存在してもよい。
【００７７】
界面活性剤−本発明による組成物は、界面活性剤又は界面活性剤系を含むことができ、界面活性剤は、非イオン性及び／若しくはアニオン性及び／若しくはカチオン性界面活性剤並びに／又は両性及び／若しくは双極性及び／若しくは半極性非イオン性界面活性剤から選択できる。界面活性剤は、典型的には洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【００７８】
ポリマー−本発明に従う組成物は、ポリマー分散剤、粘土汚れ除去剤／再付着防止剤又はこれらの混合物を含むことができる。一態様では、上記ポリマー系は、グリース洗浄用両親媒性アルコキシル化ポリマーを１つ以上と、粘土汚れ洗浄ポリマー又は汚れ懸濁ポリマーのいずれかとを含み得る。好適なポリマー系は、米国特許第２００９／０１２４５２８（Ａ１）号に記載のものである。ポリマー系は、典型的にはクリーニング組成物の重量の約０．１重量％〜約５重量％、又は更には約０．３重量％〜約２重量％、又は更に良好には約０．６重量％〜約１．５重量％の濃度で存在する。
【００７９】
ビルダー−本発明の組成物は、１つ以上の洗剤ビルダー又はビルダー系を含むことができる。存在する場合、本組成物は典型的には、少なくとも約１重量％のビルダー、又は約５重量％又は１０重量％から約８０重量％まで、５０重量％まで、又は更には３０重量％までのこのようなビルダーを含む。ビルダーとしては、限定するものではないが、ポリリン酸塩のアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリット酸、コハク酸、オキシジコハク酸、ポリマレイン酸、ベンゼン１，３，５−トリカルボン酸、カルボキシメチルオキシコハク酸、及びそれらの可溶性の塩のようなポリカルボン酸塩が挙げられる。
【００８０】
キレート化剤−本明細書の組成物はまた、任意で１つ以上の銅、鉄、及び／又はマンガンキレート化剤を含有してもよい。使用される場合、キレート化剤は、一般に、本明細書の組成物の約０．１重量％〜約１５重量％、又は更には本明細書の組成物の約３．０重量％〜約１５重量％を構成する。
【００８１】
移染防止剤−本発明の組成物はまた、１つ以上の移染防止剤を含んでもよい。適したポリマー移染抑制剤としては、限定するものではないが、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられる。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００８２】
分散剤−本発明の組成物はまた、分散剤を含むことができる。好適な水溶性有機材料は、ホモポリマー又はコポリマーの酸又はそれらの塩であり、それらのうちのポリカルボン酸は、互いに炭素原子２個を超えない程度に離れている少なくとも２個のカルボキシル基を含み得る。
【００８３】
酵素−組成物は、洗浄性能効果、及び／又は布地ケア効果を提供する１つ以上の洗浄性酵素を含むことができる。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ、及び／又はセルラーゼのような従来の適用可能な酵素をアミラーゼと組み合わせた混液である。
【００８４】
酵素安定剤−組成物、例えば洗剤において使用するための酵素は、さまざまな技術によって安定化可能である本明細書に用いられる酵素は、カルシウムイオン及び／又はマグネシウムイオンを酵素に供給する、最終組成物中のカルシウム及び／又はマグネシウムイオンの水溶性供給源の存在によって安定化させることができる。
【００８５】
触媒金属錯体−本出願人らの組成物は、触媒金属錯体を包含してもよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性をほとんど又は全く有さない補助金属カチオン、並びに触媒金属及び補助金属のカチオンに対して規定された安定度定数を有する金属イオン封鎖剤（sequestrate）、特にエチレンジアミン四酢酸、エチレンジアミンテトラ（メチレンホスホン酸）及びこれらの水溶性塩を含む触媒系である。このような触媒は、米国特許第４，４３０，２４３号に開示される。
【００８６】
所望する場合、本明細書の組成物はマンガン化合物を用いて触媒可能である。このような化合物及び使用濃度は当該技術分野で周知であり、例えば、米国特許第５，５７６，２８２号に開示されるマンガン系触媒が挙げられる。
【００８７】
本明細書において有用なコバルト漂白触媒は既知であり、例えば、米国特許第５，５９７，９３６号及び同第５，５９５，９６７号に記載されている。このようなコバルト触媒は、既知の手順、例えば、米国特許第５，５９７，９３６号及び第５，５９５，９６７号において教示されているような手順によって容易に製造される。
【００８８】
本明細書における組成物は、「ＭＲＬ」と略される大多環状の剛性配位子の遷移金属錯体も好適に含み得る。実際には、限定するためではないが、本明細書における組成物及び方法は、水性の洗浄媒質内において少なくともおよそ１憶分の１部の有益剤ＭＲＬ種を提供するように調整することができ、約０．００５ｐｐｍ〜約２５ｐｐｍ、約０．０５ｐｐｍ〜約１０ｐｐｍ、更には約０．１ｐｐｍ〜約５ｐｐｍのＭＲＬを洗浄溶液中に提供するよう調整できる。
【００８９】
本遷移金属漂白剤触媒中の好適な遷移金属としては、マンガン、鉄、及びクロムが挙げられる。本明細書における好適なＭＲＬは、架橋した特定の種類の超剛性配位子、例えば、５，１２−ジエチル−１，５，８，１２−テトラアザビシクロ［６．６．２］ヘキサデカンである。
【００９０】
好適な遷移金属ＭＲＬは、既知の手順、例えば、国際特許第ＷＯ  ００／３２６０１号及び米国特許第６，２２５，４６４号で教示されているような手順によって容易に製造される。
【００９１】
外部構造化系−本発明の消費者製品は、０．０１重量％〜５重量％又は更には０．１重量％〜１重量％の外部構造化系を含んでもよい。外部構造化系は、以下の（ｉ）及び（ｉｉ）からなる群から選択されてもよい：
（ｉ）非高分子系結晶質のヒドロキシ官能性構造剤及び／又は
（ｉｉ）高分子系構造剤。
【００９２】
このような外部構造化系は、組成物の洗浄性界面活性剤の任意の構造化効果とは独立して、すなわちこのような効果以外により、液体洗濯洗剤組成物を安定化させるのに十分な降伏応力又は低せん断粘度を付与することができるようなものであってよい。これらは、液体洗濯洗剤組成物に２１℃、２０ｓ−１にて１ｃｐｓ〜１５００ｃｐｓの高せん断粘度及び５０００ｃｐｓを超える低せん断粘度（２１℃、０．０５ｓ−１にて）を付与することができる。粘度は、直径４０ｍｍの平板鋼製スピンドル及び間隙サイズ５００μｍを使用するＴＡ  ｉｎｓｔｒｕｍｅｎｔｓ製のＡＲ  ５５０レオメーターを使用して測定される。２０ｓ−１での高せん断粘度、及び０．５ｓ−１での低せん断粘度は、２１℃で３分間の０．１ｓ−１〜２５ｓ−１の対数せん断速度掃引から得ることができる。一実施形態では、組成物は、０．０１〜１重量％の非高分子系結晶質のヒドロキシル官能性構造剤を含んでもよい。このような非高分子系結晶質のヒドロキシル官能性構造剤は、結晶化可能なグリセリドを含んでもよく、洗濯洗剤組成物の最終的な１回容量への分散を補助するためにこのグリセリドを前乳化することもできる。好適な結晶化可能なグリセリドとしては、液体洗剤組成物内で結晶化させることができるという条件で、硬化ヒマシ油又は「ＨＣＯ」又はこれらの誘導体が挙げられる。
【００９３】
１回用量の洗濯洗剤組成物は、０．０１〜５重量％の天然に誘導された及び／又は合成された高分子構造剤を含んでもよい。好適な天然に誘導された高分子系構造剤としては：ヒドロキシエチルセルロース、疎水変性ヒドロキシエチルセルロース、カルボキシメチルセルロース、多糖誘導体、及びこれらの混合物が挙げられる。好適な多糖誘導体としては：ペクチン、アルギン酸塩、アラビノガラクタン（アラビアゴム）、カラギーナン、ジェランガム、キサンタンガム、グアーガム及びこれらの混合物が挙げられる。好適な合成高分子系構造剤としては：ポリカルボキシラート、ポリアクリレート、疎水変性エトキシル化ウレタン、疎水変性非イオン性ポリオール、及びこれらの混合物が挙げられる。一態様では、ポリカルボキシレートポリマーは、ポリアクリレート、ポリメタクリレート、又はこれらの混合物であってよい。他の態様では、ポリアクリレートは、不飽和モノ−又はジ−カルボン酸と（メタ）アクリル酸のＣ１〜Ｃ３０アルキルエステルとのコポリマーであってよい。このようなコポリマーは、商品名Ｃａｒｂｏｐｏｌ（登録商標）Ａｑｕａ  ３０でＮｏｖｅｏｎ  ｉｎｃから入手可能である。
【００９４】
使用方法
本明細書に開示される特定の消費者製品は、部位を、とりわけ、表面又は布地を、洗浄又は処理することができる。典型的には、未希釈形態の又は液体（例えば洗浄液）に希釈した本願の消費者製品の実施形態と、このような部位の少なくとも一部を接触させ、そして所望によりその部位を洗浄し及び／又はすすぐことができる。一態様では、部位を場合により洗浄し及び／又はすすぎ、消費者製品の態様と接触させた後に場合により洗浄し及び／又はすすぐ。本発明の目的に関して、洗浄としては、限定するものではないが、こすり洗い及び機械的撹拌が挙げられる。布地は、標準的な消費者の使用条件で洗濯又は処理することが可能な大部分の任意の布地を含んでよい。開示される組成物を含み得る液体は、約３〜約１１．５のｐＨを有してよい。こうした組成物は、典型的には溶液中で約５００ｐｐｍ〜約１５，０００ｐｐｍの濃度で使用される。洗浄溶媒が水である場合、水温は、典型的には、約５℃〜約９０℃であり、部位が布地を含む場合、水と布地との割合は、典型的には、約１：１〜約３０：１である。
【００９５】
前述の方法の１種以上を採用することで、部位処理が得られる。
【００９６】
試験方法
本出願の「試験方法」の項で開示される試験方法は、本出願人らの発明が本明細書に記載され及び特許請求されているように、本出願人らの発明のパラメータの各値を求めるために使用されるべきであると理解される。
【００９７】
（１）１〜５００マイクロメートルの範囲の粒子を含有しているスラリー／液体の平均粒径。
【００９８】
粒子の平均粒径は、Ｍｅｔｔｌｅｒ−Ｔｏｌｅｄｏ，Ｉｎｃ．，１９００  Ｐｏｌａｒｉｓ  Ｐａｒｋｗａｙ，Ｃｏｌｕｍｂｕｓ，ＯＨ，４３２４０，ＵＳにより供給されているＬａｓｅｎｔｅｃ  Ｍ５００Ｌ−３１６−Ｋを用いて測定する。この設備は、２０００年２月発行のＬａｓｅｎｔｅｃマニュアルに記載されている通りに設定する（Ｌａｓｅｎｔｅｃ，ＦＢＲＭ  Ｃｏｎｔｒｏｌ  Ｉｎｔｅｒｆａｃｅ，ｖｅｒｓｉｏｎ  ６．０）。ソフトウェアのセットアップ及びサンプルの解析は、Ｗｉｎｄｏｗｓのソフトウェア（Ｗｉｎｄｏｗｓ  ＸＰ，ｖｅｒｓｉｏｎ  ２００２）を用い、ＷＩＮＤＯＷＳのマニュアルに従って実施した。粒子が固形粒子として回収された場合、粒子は脱イオン水に不均一に分散しているため、試験を実施することができる。
【００９９】
（２）１０〜３０００マイクロメートルの広い粒度分布を有する固体粒子の平均粒径
必要とされる物品：
・粒径分析器Ａｎａｌｙｓｅｔｔｅ  ３  ＰＲＯ（Ｆｒｉｔｓｃｈ  ＧｍｂＨ，Ｇｅｒｍａｎｙ）。
・開口部径２０００、１０００、５００、２５０、１２５、６３マイクロメートルのシーブを連続的に備える試験シーブ（Ｅｎｄｅｃｏｔｔｓ  ＬＴＤ，Ｕｎｉｔｅｄ  Ｋｉｎｇｄｏｍ）。
・６３マイクロメートル未満の粒子を回収するための回収パン。
【０１００】
手順
１．電子天秤上の計量容器に重量１００±１グラムの粒子を入れる。  
２．電子天秤ですべてのシーブの重量を測り、各シーブの初期重量を記録する。  
３．１００±１グラムのサンプル粒子を粒径分析器の頂部に配置する。  
４．シーブを締め具で固定する。  
５．電源を入れ、振動高さを２．５ｍｍに、及び時間を５分に設定する。  
６．開始ボタンを押す。粒径分析器は振動を開始してから５分後に停止することになる。  
７．５分後、下表を用い各シーブの最終重量を記録する。  
【表１】
2013538886.tif 000002
８．各シーブに関し、最終シーブ重量と初期シーブ重量の差を算出する。  
９．各測定は少なくとも３回繰り返す。  
１０．各粒径範囲の平均粒径を算出する。各範囲の平均粒径
【数１】
2013538886.tif 000003
として定義される。  
式中、ｎが測定回数であり、今回は３であり、Ｘは、上記表に記載される通りの初期重量−最終重量の値であり、かつｉは使用したシーブの大きさの整数値である。  
１１．平均粒径の算出
【数２】
2013538886.tif 000004
【０１０１】
平均粒径を算出するために、粒子の５％未満の粒径範囲及びパン内の粒子は除外する。
【数３】
2013538886.tif 000005
【０１０２】
（３）有益剤放出試験
必要とされる材料及び装置：
１．ｌａｕｎｄｅｒ−ｏ−ｍｅｔｅｒ（ｌａｕｎｄｅｒ−ｏ−ｍｅｔｅｒの手順は、ＡＡＴＣＣの技術マニュアルに記載されている）
２．ＪＡＯＣＳ，Ｖｏｌ．６６，ｎ．１（１９８９年１月）に記載のような、汚れた布地の１０×１０ｃｍ試験片
３．直径６ｍｍのスチールボール５０個のキャニスター
４．工業用水（硬度２．５ｍｍｏｌ／Ｌ）
５．有益剤を含むコアを有する粒子を含有している洗剤組成物。
【０１０３】
手順：
ステンレス製のｌａｕｎｄｅｒ−ｏ−ｍｅｔｅｒ容器を用意し、３０℃の水２５０ｍＬと、有益剤を含有している粒子を含有している液体洗剤組成物２．５グラムと、汚れた１０×１０ｃｍ布地試験片３枚と、５０個のスチールボールとを入れる。容器をｌａｕｎｄｅｒ−ｏ−ｍｅｔｅｒ内に配置し、４２ｒｐｍで４０分間回転させた。有益剤の分析測定のために５分毎に試験片を回収する。下記に列挙される適用可能なプロトコルにより分析が実施される：
Ａ．予形成過酸、漂白活性化剤及び過酸化水素源についての分析試験：
液体漂白剤中の過酸化水素は、酸性化させたヨウ化カリウム溶液からヨウ素を遊離させる。チオ硫酸標準液を用い、遊離ヨウ素を電位差滴定する。
【０１０４】
漂白成分＋２Ｉ−＋２Ｈ＋→Ｉ２＋２Ｈ２Ｏ                  ［１］
Ｉ２＋Ｉ−⇔Ｉ３−                                        ［２］
Ｉ３−＋２Ｓ２Ｏ３２−→３Ｉ−＋Ｓ４Ｏ６                    ［３］
【０１０５】
漂白成分は、漂白活性化剤から生じた過酸化水素源、予形成された過酸又は過酸であり得る。この方法は漂白剤の総量を測定する。過酸化水素と反応することで漂白活性化剤から漂白剤が生じる場合、過酸が生じた後にカタラーゼを添加する必要がある。カタラーゼは過酸には影響せずに過酸化水素のみを破壊する。更なる分析に際して、過酸のみが存在することになる。
【０１０６】
機器：
・ＰＣに接続した自動滴定装置（ｆｅ  Ｍｅｔｒｏｈｍ  ８０９）
・酸化還元電極（ｆｅ  Ｍｅｔｒｏｈｍ  ６．０４３１．１００）
化学物質：
・氷酢酸（ＶＷＲ  １．０００６３）
・ＫＩ  ３  Ｍ（Ｓｉｇｍａ  Ａｌｄｒｉｃｈ  ３５１７５）
・Ｎａ２Ｓ２Ｏ３  ０．０１Ｎ（３８２４３，Ｓｉｇｍａ  Ａｌｄｒｉｃｈ）
・ウシ肝臓由来のカタラーゼ（Ｆｌｕｋａ  Ｂｉｏｃｈｅｍｉｃａ  ６０６４０±２６００００Ｕ／ｍＬ）
・１０％過炭酸ナトリウム水溶液この溶液の調製のために、連続的に撹拌しながら１００グラムの炭酸ナトリウム（ＶＷＲ  ＡＬＦＡＡ１６０４５）を９００ｍＬの脱イオン水に加えた。
【０１０７】
手順：
１．過酸化水素源及び予形成過酸（追加の過酸化水素は存在しない）：
ａ．０．０５〜１グラムの有益剤を有するように×グラムの試料を計量する。  
ｂ．水５０ｍＬを加える。  
ｃ．酢酸１０ｍＬを加える。  
ｄ．１分間にわたって撹拌する。  
ｅ．ＫＩ溶液４ｍＬを加える。  
ｆ．酸化還元電極を用いて、第一当量点までＮａ２Ｓ２Ｏ３について滴定する。  
ｇ．過酸化物／過酸の放出指数を算出する：
【数４】
2013538886.tif 000006
式中、ＶはｍＬで測定された容量であり、Ｎはチオ硫酸ナトリウム溶液の規定度であり、Ｍｗは予形成された過酸又は過酸化水素源の分子量であり、Ｇは純度１００％の、滴定用の予形成された過酸又は過酸化水素源の重量に基づくグラムである。
【０１０８】
２．その場で形成された過酸（過酸化水素と漂白活性化剤のその場での反応）
ａ．０．０５〜１グラムの有益剤を有するようにｘグラムの試料を計量する。  
ｂ．過炭酸塩溶液５０ｍＬを加える。  
ｃ．１０分にわたって撹拌する（過酸を形成させる）。  
ｄ．カタラーゼ０．５ｍＬを加える。  
ｅ．少なくとも１分にわたって撹拌する（最大５分）。  
ｆ．酢酸１０ｍＬを加える。  
ｇ．ＫＩ溶液４ｍＬを加える。  
ｈ．酸化還元電極を用いて、第一当量点までＮａ２Ｓ２Ｏ３について滴定する。  
ｉ．過酸の放出指数を算出する：
【数５】
2013538886.tif 000007
式中、ＶはｍＬで測定された容量であり、Ｎはチオ硫酸ナトリウム溶液の規定度であり、Ｍｗは漂白活性剤の分子量であり、Ｇは純度１００％の、漂白活性剤の重量に基づくグラムである。
【０１０９】
Ｂ．金属触媒に関する分析試験：光分析法
特定の色素を用いる比色分析反応により、漂白触媒の活性を測定する。
【０１１０】
ａ．較正曲線の作成：脱イオン水中の、金属触媒をＸ  ｐｐｍ含有している粒子は加えずに、実施例４、５、及び６に記載の様な１０，０００ｐｐｍの洗剤溶液４０μＬをＣｈｉｃａｇｏ  ｓｋｙ  ｂｌｕｅ試薬１５０μＬに加え、３７℃で３分にわたってインキュベートした（下表を参照のこと）。インキュベート後に、６００ｎｍにて、溶液の洗剤及び色素を吸光度測定する（Ａｂｓ  １）。過酸化水素試薬６０μＬを溶液に加え、３７℃にて３０分にわたってインキュベートする。インキュベート後に、この溶液の吸光度を６００ｎｍにて測定する（Ａｂｓ  ２）。下表のように、異なる濃度の金属触媒について、この操作を繰り返す：
【表２】
2013538886.tif 000008
最終的な吸光度（Ａｂｓ  ２）から開始測定吸光度（Ａｂｓ  １）を減算し、較正曲線（多項式フィット）をプロットした。  
ｂ．サンプリングした洗浄溶液４０μＬを測定し、較正曲線を用いることにより、洗浄時の金属触媒濃度を決定する。  
ｃ．放出指数の決定：
【数６】
2013538886.tif 000009
式中、Ｃ洗浄は洗浄液中で測定される濃度（ｐｐｍ）であり、Ｃ全量は洗浄液中の金属触媒の総量（全封入量）（ｐｐｍ）である。
【０１１１】
Ｃ．漂白増進剤に関する分析試験：イソキノリニウム類材料及び活性中間体は、質量分析法により測定できる。個々の分子の応答に基づき陽イオン又は陰イオンで行うエレクトロスプレー質量分析を使用して、イソキノリニウム及び酸化中間体を測定する。直接導入するか又は希釈試料を別個に導入するか（フローインジェクション分析）のいずれかにより、ＭＳ分析を実施する。ＨＰＬＣによる分離は必要とされない。
【０１１２】
ａ．溶離剤：アセトニトリル：水（１／１）＋１ｍｍｏｌ酢酸アンモニウム。  
ｂ．最高感度を得るために、装置の設定は個々の分子について最適化する。  
ｃ．続いて選択的なイオンモード（selective ion mode）又は複数の反応モニタリング（multiple reaction monitoring）のいずれかで、測定を実施する。  
ｄ．１／１のアセトニトリル／水＋１ｍｍｏｌ酢酸アンモニウムで試料を希釈する。希釈係数はイソキノリニウム濃度に依存して決まる。  
ｅ．ＭＳ設定：陽イオンモード又は陰イオンモードのいずれかでのエレクトロスプレー。フルスキャンの収集が所望される場合、両方のスキャンモードを交替する。
【０１１３】
金属触媒について上記されるものと同様の式を用い、放出指数を算出する。
【０１１４】
Ｄ．ジアシル過酸化物に関する分析試験：ＨＰＬＣ分離後に電気化学的な検出を行うことにより、ジアシル過酸化物を測定する。分離には短鎖用ＲＰカラム（５μｍ、２５０ｍｍ×４．６ｍｍ）を用いる。代表的な溶離液は、０．００２５Ｍのリン酸二水素アンモニウムを添加した水／アセトニトリル（２５０ｍＬ／８５０ｍＬ）である。流速は１．０ｍＬ／ｍｉｎに設定し、ＤＣ電流測定又は熱量測定により検出を行う。分析に先立ち、９０％アセトニトリル及び１０％氷酢酸比の、アセトニトリルと氷酢酸との混合物に試料を希釈する。金属触媒について上記されるものと同様の式を用い、放出指数を算出する。
【０１１５】
Ｅ．ＡＳＴＭ法Ｄ０３４８−８９（２００３）を用いて酵素の放出指数を測定してもよい。
【０１１６】
（４）保管に対する有益剤の安定度指数の決定
洗濯洗剤組成物中のこれらの有益剤を含有している粒子の保管時に残存する有益剤の量は、粒子を液体洗剤組成物から濾別し、この粒子を破断させて有益剤を放出させ、以下に記載のような標準的な分析法を用い、保管時に残存する有益剤の量を分析することで決定できる。
【０１１７】
条件安定性試験：１％の有益剤を粒子形態で含有する試料を、洗濯洗剤組成物中で３０℃で７日間保管する。
【０１１８】
濾過：３０℃にて７日間経過後、８マイクロメートルのフィルタ（Ｗｈａｔｍａｎ  Ｉｎｔ．ＬＴＤ，ＶＷＲにより供給）を用い試料を濾過する。粒子を３ｍＬの水で２度すすぎ洗いする。
【０１１９】
有益剤を放出させるための粒子の破断：粒子を含有させた濾紙を２５０ｍＬのガラス製ポットに入れ、１００ｍＬの脱イオン水を加える。直径４ｃｍ（Ｉｍｅｓ，Ｂｅｌｇｉｕｍ）の金属製のボールをガラス製ポットに入れ、ガラス製ポットに蓋をする。粒子を含有させた混合物を、恒温振盪機内で、４５℃にて１時間にわたって１３５ｒｐｍ（Ｔｈｅｒｍｏ  ｓｈａｋｅｒ  ＴＨＯ  ５，Ｇｅｒｈａｒｄｔ）で保持し、有益剤を完全に放出させる。
【０１２０】
安定性指数の決定：以下に記載の分析法に従い、有益剤を分析する。
【０１２１】
Ａ．予形成過酸、漂白活性化剤及び過酸化水素源についての分析試験：
液体漂白剤中の過酸化水素は、酸性化させたヨウ化カリウム溶液からヨウ素を遊離させる。チオ硫酸標準液を用い、遊離ヨウ素を電位差滴定する。
【０１２２】
漂白成分＋２Ｉ−＋２Ｈ＋→Ｉ２＋２Ｈ２Ｏ                ［１］
Ｉ２＋Ｉ−⇔Ｉ３−                                      ［２］
Ｉ３−＋２Ｓ２Ｏ３２−→３Ｉ−＋Ｓ４Ｏ６                    ［３］
【０１２３】
漂白成分は、漂白活性化剤から生じた過酸化水素源、予形成された過酸又は過酸であり得る。この方法は漂白剤の総量を測定する。過酸化水素と反応することで漂白活性化剤から漂白剤が生じる場合、過酸が生じた後にカタラーゼを添加する必要がある。カタラーゼは過酸には影響せずに過酸化水素のみを破壊する。更なる分析に際して、過酸のみが存在することになる。
【０１２４】
機器：
・ＰＣに接続した自動滴定装置（ｆｅ  Ｍｅｔｒｏｈｍ  ８０９）
・酸化還元電極（ｆｅ  Ｍｅｔｒｏｈｍ  ６．０４３１．１００）
化学物質：
・氷酢酸（ＶＷＲ  １．０００６３）
・ＫＩ  ３  Ｍ（Ｓｉｇｍａ  Ａｌｄｒｉｃｈ  ３５１７５）
・０．１ＮのＮａ２Ｓ２Ｏ３（ＶＷＲ  １．０９１４７）
・ウシ肝臓由来のカタラーゼ（Ｆｌｕｋａ  Ｂｉｏｃｈｅｍｉｃａ  ６０６４０±２６００００Ｕ／ｍＬ）
・１０％過炭酸ナトリウム水溶液この溶液の調製のために、連続的に撹拌しながら１００グラムの炭酸ナトリウム（ＶＷＲ  ＡＬＦＡＡ１６０４５）を９００ｍＬの脱イオン水に加えた。
【０１２５】
手順：
３．過酸化水素源及び予形成過酸（追加の過酸化水素は存在しない）：
ａ．有益剤が０．５〜１グラム含まれるように、×グラムの試料（経時処理した後に破断させた粒子）を量り取る。  
ｂ．水５０ｍＬを加える。  
ｃ．酢酸１０ｍＬを加える。  
ｄ．１分間にわたって撹拌する。  
ｅ．ＫＩ溶液４ｍＬを加える。  
ｆ．酸化還元電極を用いて、第一当量点までＮａ２Ｓ２Ｏ３について滴定する。  
ｇ．過酸化物／過酸の安定性指数を算出する：
【数７】
2013538886.tif 000010
式中、ＶはｍＬで測定された容量であり、Ｎはチオ硫酸ナトリウム溶液の規定度であり、Ｍｗは予形成された過酸又は過酸化水素源の分子量であり、Ｇは純度１００％の、滴定用の予形成された過酸又は過酸化水素源の重量に基づくグラムである。
【０１２６】
４．その場で形成された過酸（過酸化水素と漂白活性化剤のその場での反応）
ａ．有益剤が０．５〜１グラム含まれるように、×グラムの試料（経時処理した後に破断させた粒子）を量り取る。  
ｂ．過炭酸塩溶液５０ｍＬを加える。  
ｃ．１０分にわたって撹拌する（過酸を形成させる）。  
ｄ．カタラーゼ０．５ｍＬを加える。  
ｅ．少なくとも１分にわたって撹拌する（最大５分）
ｆ．酢酸１０ｍＬを加える。  
ｇ．ＫＩ溶液４ｍＬを加える。  
ｈ．酸化還元電極を用いて、第一当量点までＮａ２Ｓ２Ｏ３について滴定する。  
ｉ．過酸の安定性指数の算出：
【数８】
2013538886.tif 000011
式中、ＶはｍＬで測定された容量であり、Ｎはチオ硫酸ナトリウム溶液の規定度であり、Ｍｗは漂白活性剤の分子量であり、Ｇは純度１００％の、漂白活性剤の重量に基づくグラムである。
【０１２７】
Ｂ．金属触媒に関する分析試験：光分析法
特定の色素を用いる比色分析反応により、漂白触媒の活性を測定する。
【０１２８】
ａ．較正曲線の作成：脱イオン水中の、金属触媒をＸ  ｐｐｍ含有している粒子は加えずに、実施例４、５、及び６に記載の様な１０，０００ｐｐｍの洗剤溶液４０μＬをＣｈｉｃａｇｏ  ｓｋｙ  ｂｌｕｅ試薬１５０μＬに加え、３７℃で３分にわたってインキュベートした（下表を参照のこと）。インキュベート後に、６００ｎｍにて、洗剤及び色素の溶液を吸光度測定する（Ａｂｓ  １）。過酸化水素試薬６０μＬを溶液に加え、３７℃にて３０分にわたってインキュベートする。インキュベート後に、この溶液の吸光度を６００ｎｍにて測定する（Ａｂｓ  ２）。下表のように、異なる濃度の金属触媒について、この操作を繰り返す：
【表３】
2013538886.tif 000012
【０１２９】
最終的な吸光度（Ａｂｓ  ２）から開始測定吸光度（Ａｂｓ  １）を減算し、較正曲線（多項式フィット）をプロットした。  
ｂ．経時処理した後に破断させた粒子４０μＬを測定し、較正曲線を用いることにより、洗浄時の金属触媒濃度を決定する。
【０１３０】
ｃ．安定性指数の決定：
【数９】
2013538886.tif 000013
【０１３１】
Ｃ経時処理した粒子は、液体洗剤組成物中にｐｐｍで保管した後に粒子内部に存在していることが確認された金属触媒の濃度であり、かつＣ総粒子は、液体洗剤組成物中のｐｐｍでの金属触媒の総量（総封入量）である。
【０１３２】
Ｃ．漂白増進剤に関する分析試験：イソキノリニウム類材料及び活性中間体は、質量分析法により測定できる。個々の分子の応答に基づき陽イオン又は陰イオンで行うエレクトロスプレー質量分析を使用して、イソキノリニウム及び酸化中間体を測定する。直接導入するか又は希釈試料を別個に導入するか（フローインジェクション分析）のいずれかにより、ＭＳ分析を実施する。ＨＰＬＣによる分離は必要とされない。
【０１３３】
ｆ．溶離剤：アセトニトリル：水（１／１）＋１ｍｍｏｌ酢酸アンモニウム。  
ｇ．最高感度を得るために、装置の設定は個々の分子について最適化する。  
ｈ．続いて選択的なイオンモード（selective ion mode）又は複数の反応モニタリング（multiple reaction monitoring）のいずれかで、測定を実施する。  
ｉ．１／１のアセトニトリル／水＋１ｍｍｏｌ酢酸アンモニウムで試料を希釈する。希釈係数はイソキノリニウム濃度に依存して決まる。  
ｊ．ＭＳ設定：陽イオンモード又は陰イオンモードのいずれかでのエレクトロスプレー。フルスキャンの収集が所望される場合、両方のスキャンモードを交替する。
【０１３４】
金属触媒について上記されるものと同様の式を用い、安定性指数を算出する。
【０１３５】
Ｄ．ジアシル過酸化物に関する分析試験：ＨＰＬＣ分離後に電気化学的な検出を行うことにより、ジアシル過酸化物を測定する。分離には短鎖用ＲＰカラム（５μｍ、２５０ｍｍ×４．６ｍｍ）を用いる。代表的な溶離液は、０．００２５Ｍのリン酸二水素アンモニウムを添加した水／アセトニトリル（２５０ｍＬ／８５０ｍＬ）である。流速は１．０ｍＬ／ｍｉｎに設定し、ＤＣ電流測定又は熱量測定により検出を行う。分析に先立ち、９０％アセトニトリル及び１０％氷酢酸比の、アセトニトリルと氷酢酸との混合物に試料を希釈する。金属触媒について上記されるものと同様の式を用い、安定性指数を算出する。
【０１３６】
Ｅ．ＡＳＴＭ法Ｄ０３４８−８９（２００３）を用いて酵素の安定性指数を測定してもよい。
【０１３７】
（５）遠心時保持用量（ＣＲＣ）試験方法
試験方法ＥＤＡＮＡ  ４４１．２−０２を用い、遠心時保持用量を測定することもできる。
【０１３８】
（６）液体洗剤組成物のｐＨ測定
液体洗剤組成物のｐＨ測定は、試験方法ＥＮ１２６２を用いて測定され得る。
【実施例】
【０１３９】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【０１４０】
実施例１：５０重量％コア／５０重量％コーティングの単一カプセルの製造
ＰＡＰ（Ｅｕｒｅｃｏ（商標）ＭＧ等級、Ｓｏｌｖａｙ）の単一顆粒を二層コーティング技術を用いコーティングする。第一層はキサンタンガム（Ｋｅｌｚａｎ  ＡＳＸ−Ｔ、ＣＰＫｅｌｃｏ）コーティングであり、第二層はポリ酢酸ビニル（Ｓｉｇｍａ−Ａｌｄｒｉｃｈ、分子量約１６７，０００ｇ／ｍｏｌ）コーティングである。ＰＡＰ粒子のコーティングは次のように調製する：約０．０５グラムのＰＡＰ顆粒を約０．１０グラムの１０％のキサンタンガム水性ゲルでコーティングする。この水性ゲルは、９グラムのミリＱ水を１グラムのキサンタンガムに添加して調製する。撹拌せずに密閉容器の中で４０℃にて５時間にわたって加熱することで均質ゲルが得られる。ＰＡＰ渦流の全面がゲルにより完全にコーティングされる。テフロン表面上で、この第一層を２５℃にて７２時間にわたって乾燥させた後、０．４０グラムの４０％のポリ酢酸ビニルゲル／エタノール（このゲルは６グラムのエタノール（９６％，Ｓｏ．Ｃｏ．Ｆｉ．）を４グラムのポリ酢酸ビニルに加え、次に均質なゲルが得られるまで４０℃にて加熱することで調製される）が適用される。この第二層をテフロン表面上で４８時間にわたって２５℃にて乾燥させた後、粒子は実施例５に記載されるような約２ｍＬの液体洗濯組成物中に保管し、３０℃のオーブン（Ｍｉｃｒａ  ９，ＩＳＣＯ）で１週間維持する。上記の方法を用い、安定性指数を決定する。この値は１．０である。
【０１４１】
実施例２：５０重量％コア／５０重量％コーティングの封入物の製造
ワッシャを取り付けた流動層コーターを用い、ＰＡＰ（Ｅｕｒｅｃｏ（商標）ＭＧ等級、Ｓｏｌｖａｙ）を２種のポリマーでコーティングする。２種のポリマー溶液を調製する。第一に、８グラムのキサンタンガム粉末（Ｋｅｌｚａｎ  ＡＳＸ−Ｔ、ＣＰＫｅｌｃｏ）を量り取り、５０℃にて、連続的に撹拌しながら３９２グラムの脱塩水に加え、２％のキサンタンガム水溶液を調製する。添加は３時間で終了する。第二に、４００グラムのポリ酢酸ビニル（分子量約１６７，０００ｇ／ｍｏｌ、Ｓｉｇｍａ−Ａｌｄｒｉｃｈ）を、連続的に撹拌しながら９２０グラムのアセトンと３６８０グラムの脱塩水との混合溶液に加え、８％濃度のポリ酢酸ビニルのアセトン／水溶液を調製する。
【０１４２】
ワッシャを取り付けた流動層コーター（４Ｍ８−Ｆｌｕｉｄｂｅｄ（ＰｒｏＣｅｐＴ，Ｂｅｌｇｉｕｍ））を使用して、ＰＡＰをコーティングする。熱風を６０℃に設定する。４００グラムのＰＡＰを流動層処理した。系の用意が完了したら、３ｍＬ／ｍｉｎの速度で、下側からの４００グラムのキサンタンガム溶液のスプレーを開始する。キサンタンガム溶液のスプレーが終了したら、粒子を６０℃で１０分間乾燥させる。次に、流速５ｍＬ／ｍｉｎで５０００グラムのポリ酢酸ビニルのアセトン／水溶液のスプレーを開始する。材料を回収し、ＳＥＭ（ＴＭ−１０００、Ｈｉｔａｃｈｉ）により分析してコーティングが均一なものであることを確認する。上記方法を用い算出される放出指数は０．８８である。
【０１４３】
実施例３：ワッシャを取り付けた流動層コーターを用いる粒子の製造
ワッシャを取り付けた流動層コーターを用い、ＰＡＰ（Ｅｕｒｅｃｏ（商標）ＭＧ等級、Ｓｏｌｖａｙ）を２種のポリマーでコーティングする。始めに、Ａｌｃｏｇｕｍ（登録商標）Ｌ−２２９アクリレート系エマルションコポリマーを使用して内部コーティングを行う。次に、５０℃にて連続撹拌しながら、１００グラムのポリビニルアルコール（平均分子量約１３，０００〜２６，０００、参照番号３６３１７０、Ｓｉｇｍａ−Ａｌｄｒｉｃｈ）を９００グラムの脱塩水に加え、１０％のポリビニルアルコール水溶液を調製する。
【０１４４】
ワッシャを取り付けた流動層コーター（４Ｍ８−Ｆｌｕｉｄｂｅｄ（ＰｒｏＣｅｐＴ，Ｂｅｌｇｉｕｍ））を使用して、ＰＡＰをコーティングする。熱風供給口を６０℃に設定する。流動層コーター内で７０グラムのＰＡＰを流動層処理するにあたり系を予熱する。系が安定化したら、０．５ｍＬ／ｍｉｎの速度で、下側からの４０グラムのＡｌｃｏｇｕｍ（登録商標）Ｌ−２２９の散布を開始する。Ａｌｃｏｇｕｍ（登録商標）Ｌ−２２９のスプレーが終了したら、粒子を６０℃で１０分間乾燥させる。流速１．５ｍＬ／ｍｉｎで６００グラムのポリビニルアルコール水溶液のスプレーを開始する。材料を回収し、上記の方法により、実施例４に記載のような液体組成物中での安定性指数を決定する。安定性指数は０．９５である。
【０１４５】
実施例４、５及び６：液体洗剤組成物
封入された有益剤を含有している製品配合物の非限定的な例を下表に要約する。
【表４】
2013538886.tif 000014
１  −ＮＨあたり２０個のエトキシル基を有するポリエチレンイミン（ＭＷ＝６００）。  
２  ＰＧ６１７又はＰＧ６４０（ＢＡＳＦ，Ｇｅｒｍａｎｙ）
３  実施例１、２及び３に記載のようなコーティングされた粒子。  
４  香料マイクロカプセルは次の通りに調整され得る。２５ｇのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．（Ｋｅｎｎｅｓａｗ，Ｇｅｏｒｇｉａ  Ｕ．Ｓ．Ａ．））を溶解して２００ｇの脱イオン水中に混入する。溶液のｐＨを、水酸化ナトリウム溶液でｐＨ  ４．０に調整する。部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．））８グラムを乳化剤溶液に添加する。前述の混合物に機械的攪拌の下で香油２００グラムを添加し、温度を５０℃まで上げる。安定なエマルションが得られるまで高速で混合した後に、第２の溶液及び４グラムの硫酸ナトリウム塩をこのエマルションに添加する。この第２の溶液は、ブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）１０グラム、蒸留水１２０グラム、ｐＨを４．８に調整するための水酸化ナトリウム溶液、部分メチル化メチロールメラミン樹脂（Ｃｙｍｅｌ  ３８５、８０％固形分、Ｃｙｔｅｃ）２５グラムを含有する。この混合物を７０℃まで加熱し、連続的に撹拌しながら１晩にわたって維持して、カプセル封入プロセスを完了させる。アセトアセトアミド（Ｓｉｇｍａ−Ａｌｄｒｉｃｈ，Ｓａｉｎｔ  Ｌｏｕｉｓ，Ｍｉｓｓｏｕｒｉ，Ｕ．Ｓ．Ａ．）２３グラムをこの懸濁液に添加する。
【０１４６】
実施例７、８及び９：１回用量組成物
実施例４、５及び６の組成物をＰＶＡフィルムで包む。一態様では、本実施例で使用されるフィルムは厚さ７６μｍのＭｏｎｏｓｏｌ  Ｍ８６３０である。
【０１４７】
実施例１０及び１１：１回用量組成物
以下のものは、液体組成物がＰＶＡフィルム内に封入される単位容量の実施例である。一態様では、本実施例で使用されるフィルムは厚さ７６μｍのＭｏｎｏｓｏｌ  Ｍ８６３０である。
【表５】
2013538886.tif 000015
１  −ＮＨあたり２０個のエトキシル基を有するポリエチレンイミン（ＭＷ＝６００）。  
２  ＰＧ６１７又はＰＧ６４０（ＢＡＳＦ，Ｇｅｒｍａｎｙ）
３  実施例２及び３に記載のようなコーティングされた粒子。  
４  実施例４、５及び６に記載の香料マイクロカプセル調製物。
【０１４８】
実施例１２：単一のカプセル製造による単層封入及び二層封入の比較
ＰＡＰ（Ｅｕｒｅｃｏ（商標）ＭＧ等級、Ｓｏｌｖａｙ）の単一粒子を単層コーティングする。このコーティングはポリ酢酸ビニル（Ｓｉｇｍａ−Ａｌｄｒｉｃｈ、分子量約１６７，０００ｇ／ｍｏｌ）によるものである。ＰＡＰ粒子のコーティングは次のように調製する：約０．０５グラムのＰＡＰ顆粒を約０．４０グラムの４０％のポリ酢酸ビニルゲル／エタノール（このゲルは６グラムのエタノール（９６％、Ｓｏ．Ｃｏ．Ｆｉ．）を４グラムのポリ酢酸ビニルに加え、次に均質なゲルが得られるまで４０℃にて加熱することで調製される）に加える。この層をテフロン表面上で４８時間にわたって２５℃にて乾燥させた後、粒子は実施例５に記載されるような約２ｍＬの液体洗濯組成物中で保管し、３０℃のオーブン（Ｍｉｃｒａ  ９、ＩＳＣＯ）で１週間維持する。上記の方法を用い、安定性指数を決定する。この値は０．２である。したがって、物質シンクを粒子の第一層として使用したことで、予想外にも有益剤の安定性が改善され、結果として、粒子を含む組成物の全体的な性能も改善されたことは明らかである：
【表６】
2013538886.tif 000016
【０１４９】
実施例１３、１４、１５及び１６：単一粒子の安定性指数
１３〜１６の粒子の安定性指数（実施例１及び９の方法で製造される）を下記のように決定する：
【表７】
2013538886.tif 000017
＊  重量は、粒子の総重量に基づく
１  Ｓｉｇｍａ−Ａｌｄｒｉｃｈ、分子量約１６７，０００ｇ／ｍｏｌ
２  Ｅｕｒｅｃｏ  ＭＧ
３  酢酸セルロース約３０，０００ｇ／ｍｏｌ、Ｓｉｇｍａ  Ａｌｄｒｉｃｈ。
【０１５０】
実施例１７及び１８：液体洗剤組成物：
封入された有益剤を含有している製品配合物の非限定的な例を下表に要約する。
【表８】
2013538886.tif 000018
１  −ＮＨ基当たり２０個のエトキシレート基を有するポリエチレンイミン（ＭＷ＝６００グラム／モル）（ＢＡＳＦ，Ｇｅｒｍａｎｙ）
２  ＰＧ６１７又はＰＧ６４０（ＢＡＳＦ，Ｇｅｒｍａｎｙ）
３  実施例２及び３に記載のようなコーティングされた粒子。  
４  実施例４、５及び６に記載の香料マイクロカプセル調製物。
【０１５１】
実施例１９及び２０：１回用量組成物
以下のものは、液体組成物がＰＶＡフィルム内に封入される単位容量の実施例である。一態様では、本実施例で使用されるフィルムは厚さ７６μｍのＭｏｎｏｓｏｌ  Ｍ８６３０である。
【表９】
2013538886.tif 000019
１  −ＮＨ基当たり２０個のエトキシレート基を有するポリエチレンイミン（ＭＷ＝６００グラム／モル）（ＢＡＳＦ，Ｇｅｒｍａｎｙ）
２  ＰＧ６１７又はＰＧ６４０（ＢＡＳＦ，Ｇｅｒｍａｎｙ）
３  実施例２及び３に記載のようなコーティングされた粒子。  
４  実施例４、５及び６に記載の香料マイクロカプセル調製物。  
＊  ｐＨ調整せず。また、これらの区画には溶媒も添加しなかった
【０１５２】
実施例２１：単一のカプセル製造による単層封入及び二層封入の比較
実施例１及び１２に記載のものと同様の粒子製造方法を用いて、単層及び二層カプセルを調製する。
【表１０】
2013538886.tif 000020
１  ポリビニルアルコール、平均分子量約１３，０００〜２６，０００、参照番号３６３１７０、Ｓｉｇｍａ−Ａｌｄｒｉｃｈ
【０１５３】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【０１５４】
本発明の「発明を実施するための形態」で引用したすべての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【０１５５】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2013538886.tif 000021
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
シェル及びコアを含む粒子であって、前記コアが予形成過酸、金属触媒、漂白活性化剤、漂白増進剤、ジアシルペルオキシド、過酸化水素源、及び酵素からなる群から選択される材料を含み、前記シェルが第一層と第二層とを含み、前記第一層が前記コアを封入し、かつ水溶性及び／又は水分散性非還元型多糖、水溶性及び／又は水分散性アクリレート誘導体、及びこれらの混合物からなる群から選択される材料を含む物質シンクを含み、好ましくは前記物質シンクの遠心時保持容量が２グラム／グラム〜５００グラム／グラム、より好ましくは１０グラム／グラム〜３００グラム／グラム、最も好ましくは５０グラム／グラム〜１５０グラム／グラムであり、前記第二層が前記第一層を封入し、かつポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、及びこれらの混合物からなる群から選択される材料を含むバリア材料を含み、前記粒子の粒径が１５０マイクロメートル〜３０００マイクロメートル、好ましくは５００マイクロメートル〜２０００マイクロメートル、より好ましくは７５０マイクロメートル〜１５００マイクロメートルであり、好ましくは前記粒子の放出指数が０．２５〜１、より好ましくは０．５０〜１、最も好ましくは０．８５〜１であり、好ましくは前記粒子のコア対シェル質量比が５：９５〜８０：２０、より好ましくは１５：８５〜６０：４０、最も好ましくは２５：７５〜５０：５０であり、好ましくは前記粒子の物質シンク対バリア材料質量比が２０：８０〜３：９７、より好ましくは１５：８５〜１０：９０であり、好ましくは前記粒子が第三層を含み、前記第三層が第二バリア材料、より好ましくは前記第三層が前記第二層の外側表面を封入し、好ましくは前記粒子の安定度指数が０．８０〜１、より好ましくは０．９０〜１、最も好ましくは０．９５〜１である、粒子。
【請求項２】
ａ）前記金属触媒が、ジクロロ−１，４−ジエチル−１，４，８，１１−テトラアザビシクロ（tetraaazabicyclo）［６．６．２］ヘキサデカンマンガン（ＩＩ）；ジクロロ−１，４−ジメチル−１，４，８，１１−テトラアザビシクロ（tetraaazabicyclo）［６．６．２］ヘキサデカンマンガン（ＩＩ）、及びこれらの混合物からなる群から選択される材料を含み、
ｂ）前記漂白増進剤が、２−［３−［（２−ヘキシルドデシル）オキシ］−２−（スルホオキシ）プロピル］−３，４−ジヒドロイソキノリニウム（分子内塩）、３，４−ジヒドロ−２−［３−［（２−ペンチルウンデシル）オキシ］−２−（スルホオキシ）プロピル］イソキノリニウム（分子内塩）、２−［３−［（２−ブチルデシル）オキシ］−２−（スルホオキシ）プロピル］−３，４−ジヒドロイソキノリニウム（分子内塩）、３，４−ジヒドロ−２−［３−（オクタデシルオキシ）−２−（スルホオキシ）プロピル］イソキノリニウム（分子内塩）、２−［３−（ヘキサデシルオキシ）−２−（スルホオキシ）プロピル］−３，４−ジヒドロイソキノリニウム（分子内塩）、３，４−ジヒドロ−２−［２−（スルホオキシ）−３−（テトラデシルオキシ）プロピル］イソキノリニウム（分子内塩）、２−［３−（ドデシルオキシ）−２−（スルホオキシ）プロピル］−３，４−ジヒドロイソキノリニウム（分子内塩）、２−［３−［（３−ヘキシルデシル）オキシ］−２−（スルホオキシ）プロピル］−３，４−ジヒドロイソキノリニウム（分子内塩）、３，４−ジヒドロ−２−［３−［（２−ペンチルノニル）オキシ］−２−（スルホオキシ）プロピル］イソキノリニウム（分子内塩）、３，４−ジヒドロ−２−［３−［（２−プロピルヘプチル）オキシ］−２−（スルホオキシ）プロピル］イソキノリニウム（分子内塩）、２−［３−［（２−ブチルオクチル）オキシ］−２−（スルホオキシ）プロピル］−３，４−ジヒドロイソキノリニウム（分子内塩）、２−［３−（デシルオキシ）−２−（スルホオキシ）プロピル］−３，４−ジヒドロイソキノリニウム（分子内塩）、３，４−ジヒドロ−２−［３−（オクチルオキシ）−２−（スルホオキシ）プロピル］イソキノリニウム（分子内塩）、２−［３−［（２−エチルヘキシル）オキシ］−２−（スルホオキシ）プロピル］−３，４−ジヒドロイソキノリニウム（分子内塩）、及びこれらの混合物からなる群から選択される材料を含み、
ｂ）前記漂白活性化剤が、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、過加水分解可能なエステル、４−［Ｎ−（ノナオイル）アミノヘキサノイルオキシ］−ベンゼンスルホン酸ナトリウム（ＮＡＣＡ−ＯＢＳ）、ドデカノイルオキシベンゼンスルホネート（ＬＯＢＳ又はＣ１２−ＯＢＳ）、１０−ウンデセノイルオキシベンゼンスルホネート（１０位に不飽和を有するＵＤＯＢＳ又はＣ１１−ＯＢＳ）、デカノイルオキシ安息香酸（ＤＯＢＡ）、（６−オクタンアミドカプロイル）オキシベンゼンスルホネート、（６−ノナンアミドカプロイル）オキシベンゼンスルホネート；６−デカンアミドカプロイル）オキシベンゼンスルホネート、及びこれらの混合物からなる群から選択される材料を含み、
ｃ）前記予形成過酸が、過硫酸、過ヨウ素酸、過炭酸、過カルボン酸、及び該酸の塩からなる群から選択される材料を含み、好ましくは前記過カルボン酸及びその塩が、フタルイミドペルオキシヘキサン酸、１，１２−ジペルオキシドデカン二酸、又はモノペルオキシフタル酸（マグネシウム塩六水和物）、アミドペルオキシ酸を含み、好ましくは前記アミドペルオキシ酸がＮ，Ｎ’−テレフタロイル−ジ（６−アミノカプロン酸）、ペルオキシこはく酸（ＮＡＰＳＡ）又はペルオキシアジピン酸（ＮＡＰＡＡ）のいずれかのモノノニルアミド、Ｎ−ノナノイルアミノペルオキシカプロン酸（ＮＡＰＣＡ）、及びこれらの混合物を含み、
ｄ）前記ジアシルペルオキシドが、ジノナノイルペルオキシド、ジデカノイルペルオキシド、ジウンデカノイルペルオキシド、ジラウロイルペルオキシド、ジベンゾイルペルオキシド、ジ−（３，５，５−トリメチルヘキサノイル）ペルオキシド、及びこれらの混合物からなる群から選択される材料を含み、
ｅ）前記過酸化水素源が、過ホウ酸塩、過炭酸塩、過酸化水素化物、過硫酸塩、及びこれらの混合物からなる群から選択される材料を含み、並びに
ｆ）前記酵素が、ペルオキシダーゼ、プロテアーゼ、リパーゼ、ホスホリパーゼ、セロビオヒドロラーゼ、セロビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含む、請求項１に記載の粒子。
【請求項３】
ａ）前記ポリビニルアルコールが、加水分解度が８０ｍｏｌ％〜９９ｍｏｌ％、より好ましくは８７ｍｏｌ％〜８９ｍｏｌ％であり、かつ分子量が１０，０００グラム／ｍｏｌ〜７５０，０００グラム／ｍｏｌ、より好ましくは３０，０００グラム／ｍｏｌ〜３００，０００グラム／ｍｏｌであるポリビニルアルコール変異体を含み、
ｂ）前記ポリ酢酸ビニルが、重合度が１５０〜５，０００、好ましくは１５０〜２，０００、又はより好ましくは１９０〜１，０００のポリ酢酸ビニル変異体を含み、並びに
ｃ）前記酢酸セルロースが、分子量が３０，０００グラム／ｍｏｌ〜５０，０００グラム／ｍｏｌの酢酸セルロース変異体を含む、請求項１又は２に記載の粒子。
【請求項４】
ａ）前記水溶性及び／又は水分散性非還元型多糖が、キサンタンガム、ダイユータンガム、グアーガム、ジェランガム、カラギーナン、相乗的なゴム系、及びこれらの混合物からなる群から選択される材料を含み、
ｂ）前記水溶性及び／又は水分散性アクリレート誘導体のガラス転移温度が５０℃〜１３０℃、より好ましくは９０℃〜１１５℃である、請求項１〜３のいずれか一項に記載の粒子。
【請求項５】
請求項１〜４のいずれか一項に記載の粒子と補助成分とを含む消費者製品であって、好ましくは前記粒子の少なくとも７５％、より好ましくは８５％、又は最も好ましくは９０％の粒子壁厚が１〜５００マイクロメートル、より好ましくは２０マイクロメートル〜２５０マイクロメートル、最も好ましくは５０マイクロメートル〜１５０マイクロメートルであり、好ましくは前記消費者製品が、構造化剤、抗凝集剤、及びこれらの混合物からなる群から選択される材料を含み、好ましくは構造化剤が水添硬化ヒマシ油誘導体を含む、消費者製品。
【請求項６】
前記消費者製品が、
ａ）アニオン性界面活性剤及び／又は非イオン性界面活性剤（好ましくはアニオン性界面活性剤）、
ｂ）溶媒（好ましくは前記溶媒がブトキシプロポキシプロパノール及び／又はグリセロールを含む）、
ｃ）水（好ましくは組成物の総重量に基づいて１０重量％未満の水、より好ましくは２重量％〜１０重量％未満の水）、並びに
ｄ）所望により次のものからなる群から選択される１つ以上の成分：
（ｉ）粘土洗浄ポリマーと適合性のある漂白剤（好ましくは、前記粘土洗浄ポリマーと適合性のある漂白剤は、エトキシ化ヘキサメチレンジアミンジメチル第四級アンモニウム化合物、エトキシサルフェート化ヘキサメチレンジアミンジメチル第四級アンモニウム化合物、及びこれらの混合物からなる群から選択される）、
（ｉｉ）増白剤（好ましくは、前記増白剤は、４，４’−ビス（２−スルホスチリル）ビフェニル及び／又はビス（スルホベンゾフラニル）ビフェニル二ナトリウムから選択される蛍光増白剤を含む）、
（ｉｉｉ）ビルダー（好ましくは、前記ビルダーはクエン酸ナトリウムを含む）、並びに
（ｉｖ）キレート化剤（好ましくは前記キレート化剤は１−ヒドロキシエチリデン−１，１−ジホスホン酸（ＨＥＤＰ）を含む）、から選択される材料を含む、請求項１〜５のいずれか一項に記載の消費者製品。
【請求項７】
前記消費者製品が、
ａ．０．０００１重量％〜８重量％の洗浄酵素を含み、並びに
ｂ．６．５〜１０．５の正味ｐＨを有する、請求項１〜６のいずれか一項に記載の消費者製品。
【請求項８】
前記洗浄酵素が、リパーゼ、プロテアーゼ、アミラーゼ、セルラーゼ、ペクチン酸リアーゼ、キシログルカナーゼ、及びこれらの混合物からなる群から選択される酵素を含む、請求項７に記載の消費者製品。
【請求項９】
前記消費者製品が、
ａ．０．１重量％〜１２重量％の漂白剤又は漂白剤系を含み、並びに
ｂ．６．５〜１０．５の正味ｐＨを有する、請求項１〜８のいずれか一項に記載の消費者製品。
【請求項１０】
前記消費者製品が、水溶性パウチ材により封入され、好ましくは前記パウチ材がポリビニルアルコール、ポリビニルアルコールコポリマー、ヒドロキシプロピルメチルセルロース（ＨＰＭＣ）、及びこれらの混合物を含む、請求項１〜９のいずれか一項に記載の消費者製品。
【請求項１１】
部位を処理及び／又は洗浄する方法であって、前記方法が、
ａ．所望により、前記部位を洗浄及び／又はすすぐ工程と、
ｂ．前記部位を請求項１〜１０のいずれか一項に記載の消費者製品と接触させる工程と、
ｃ．所望により、前記部位を洗浄及び／又はすすぐ工程と、を含む、方法。
【請求項１２】
請求項１〜１１のいずれか一項に記載の消費者製品により処理した部位。
【請求項１３】
消費者製品補助成分及び粒子を含む、消費者製品の製造方法であって、
ａ）第一溶液であって、前記第一溶液中に懸濁及び／又は溶解させた、溶液の総重量に基づいて約０．５重量％〜約１０重量％の物質シンクと、１種以上の溶媒と、を含む第一溶液を調製する工程であって、好ましくは、前記溶媒が水、エタノール、アセトン、ジクロロメタン、及びこれらの混合物を含む、工程と、
ｂ）第二溶液であって、前記第二溶液中に懸濁及び／又は溶解させた、溶液の総重量に基づいて約２重量％〜約２０重量％のバリア材料と、１種以上の溶媒と、を含む第二溶液を調製する工程であって、好ましくは、前記溶媒が水、エタノール、アセトン、ジクロロメタン、及びこれらの混合物を含む、工程と、
ｃ）所望により、第三溶液であって、前記第三溶液中に懸濁及び／又は溶解させた、溶液の総重量に基づいて約２重量％〜約２０重量％のバリア材料と、１種以上の溶媒と、を含む第三溶液を調製する工程であって、好ましくは、前記溶媒が水、エタノール、アセトン、ジクロロメタン、及びこれらの混合物を含む、工程と、
ｄ）所望により、抗凝集剤を前記第一、第二、及び／又は第三溶液と合わせる工程と、
ｅ）所望により、前記コア材料と結合剤を凝集させて、第一組成物を形成する工程であって、好ましくは前記凝集プロセスが、流動層加工、高せん断凝集加工又はこれらの組み合わせを含む、工程と、
ｆ）前記コア材料又は前記第一組成物を２５℃〜９０℃の温度のチャンバ内で流動化する工程であって、好ましくは、前記チャンバが、所望によりワッシャを備えた流動層コーターを含み、より好ましくは前記チャンバが噴流層を含む、工程と、
ｇ）前記流動化したコア材料又は前記第一組成物に前記第一溶液をスプレーすることにより、第二組成物を形成する工程であって、好ましくは前記スプレープロセスが二液ノズルを含む、工程と、
ｈ）前記第二組成物を２５℃〜９０℃の温度のチャンバ内で流動化する工程であって、好ましくは、前記チャンバが、所望によりワッシャを備えた流動層コーターを含み、より好ましくは前記チャンバが噴流層を含む、工程と、
ｉ）前記流動化した前記第二組成物に前記第二溶液をスプレーすることにより、第三組成物を形成する工程であって、好ましくは前記スプレープロセスが二液ノズルを含む、工程と、
ｊ）所望により、前記第三組成物を２５℃〜９０℃の温度のチャンバ内で流動化する工程であって、好ましくは、前記チャンバが、所望によりワッシャを備えた流動層コーターを含み、より好ましくは前記チャンバが噴流層を含む、工程と、
ｋ）所望により、前記三組成物に前記第三溶液をスプレーすることにより、第四組成物を形成する工程であって、好ましくは前記スプレープロセスが二液ノズルを含む、工程と、
ｌ）所望により、前記第三及び／又は第四組成物を凝集させることにより、第五組成物を形成する工程と、
ｍ）前記第三、第四、及び／又は第五組成物を１つ以上の消費者製品補助材料と合わせる工程と、を含む、方法。
【国際調査報告】
2013538886.tif 000022
2013538886.tif 000023